(57)【要約】【課題】  組合せ式遊技機において、遊技者にとって有利な状態である特別遊技状態が途中で終了してしまうことを抑制する。【解決手段】  組合せ式遊技機の振り分け装置３６０において誘導増加装置作動領域４１ａは通常時には傾斜面３９の一端から他端までの範囲を往復運動する。そして、傾斜面３９から落下した遊技球が誘導増加装置作動領域４１ａに入った場合には、遊技者にとって有利な状態である特別遊技状態が発生する。特別遊技状態が発生すると、誘導増加装置作動領域４１ａが行う往復運動の範囲が狭くなる。狭められた範囲内には傾斜面３９から遊技球が落下しにくいので、特別遊技中に遊技球が再び誘導増加装置作動領域４１ａに入ることによって特別遊技状態が途中で終了してしまうことを抑制することができる。【選択図】  図４４
2005319104.tif 000002
【特許請求の範囲】
【請求項１】
遊技球が入球可能な複数の入球領域と、該入球領域への遊技球の入球に応じた入賞情報を表示する入賞情報表示装置とが設けられた遊技盤上に、所定数の遊技球を発射して一単位遊技を行い、この一単位遊技中に前記入賞情報表示装置に表示された入賞情報の組合せから賞態様を決定する組合せ式遊技機であって、
所定の表示領域で複数パターンの識別図柄の変動表示と停止表示とを行う可変表示手段と、
前記可変表示手段において停止表示された識別図柄が特定の図柄であった場合には可変入球口を開放させるとともに、該開放された可変入球口に遊技球が入球するか、あるいは所定回数の単位遊技が終了すると該可変入球口を閉鎖させる可変入球手段と、
前記可変入球口に入球した遊技球を所定の特定領域に誘導する遊技球通路と、
前記可変入球口に入球した遊技球が前記特定領域を通過した場合には遊技者にとって相対的に有利な遊技状態である特別遊技状態を発生させるとともに、該特別遊技状態の発生後に所定回数の単位遊技が終了するか、あるいは遊技球が再び該特定領域を通過すると該特別遊技状態を終了させる遊技状態制御手段と、
前記遊技球通路に対して前記特定領域を移動させる特定領域移動手段と
を備え、
前記特定領域移動手段は、前記特別遊技状態が発生している場合には、前記特定領域への遊技球の通過が抑制される様に、該特定領域を移動させる手段であることを特徴とする組合せ式遊技機。
【請求項２】
請求項１記載の組合せ式遊技機であって、
前記特定領域移動手段は、前記特別遊技状態が発生している場合には、前記特定領域への遊技球の通過が抑制される所定の移動パターンに従って、該特定領域を移動させる手段であることを特徴とする組合せ式遊技機。
【請求項３】
遊技球が入球可能な複数の入球領域と、該入球領域への遊技球の入球に応じた入賞情報を表示する入賞情報表示装置とが設けられた遊技盤上に、所定数の遊技球を発射して一単位遊技を行い、この一単位遊技中に前記入賞情報表示装置に表示された入賞情報の組合せから賞態様を決定する組合せ式遊技機であって、
所定の表示領域で複数パターンの識別図柄の変動表示と停止表示とを行う可変表示手段と、
前記可変表示手段において停止表示された識別図柄が特定の図柄であった場合には可変入球口を開放させるとともに、該開放された可変入球口に遊技球が入球するか、あるいは所定回数の単位遊技が終了すると該可変入球口を閉鎖させる可変入球手段と、
前記可変入球口に入球した遊技球を所定の特定領域に誘導する遊技球通路と、
前記可変入球口に入球した遊技球が前記特定領域を通過した場合には遊技者にとって相対的に有利な遊技状態である特別遊技状態を発生させるとともに、該特別遊技状態の発生後に所定回数の単位遊技が終了するか、あるいは遊技球が再び該特定領域を通過すると該特別遊技状態を終了させる遊技状態制御手段と、
前記特定領域に対して前記遊技球通路を移動させる遊技球通路移動手段と
を備え、
前記遊技球通路移動手段は、前記特別遊技状態が発生している場合には、前記特定領域への遊技球の通過が抑制される様に、前記遊技球通路を移動させる手段であることを特徴とする組合せ式遊技機。
【請求項４】
請求項３記載の組合せ式遊技機であって、
前記遊技球通路移動手段は、前記特別遊技状態が発生している場合には、前記特定領域への遊技球の通過が抑制される所定の移動パターンに従って、前記遊技球通路を移動させる手段であることを特徴とする組合せ式遊技機。
【請求項５】
請求項３または請求項４記載の組合せ式遊技機であって、
前記遊技球通路は、少なくとも一部に可動部が設けられており、
前記遊技球通路移動手段は、前記特定領域への遊技球の通過が抑制される様に、前記可動部を移動させる手段であることを特徴とする組合せ式遊技機。
【請求項６】
請求項１ないし請求項５のいずれかに記載の組合せ式遊技機であって、
前記遊技状態制御手段は、前記特別遊技状態が発生した場合に、前記可変入球口が開放する確率を増加させる手段であることを特徴とする組合せ式遊技機。
【発明の詳細な説明】
【技術分野】
【０００１】
本発明は、遊技盤上に所定数の遊技球を発射することにより、１回の単位遊技（ゲーム）を終了させ、単位遊技中に獲得された得点に応じて賞球を遊技者に払い出す組合せ式遊技機に関する。
【背景技術】
【０００２】
従来より、遊技盤上に規定数（例えば１５〜１６個など）の遊技球を発射することで１回の単位遊技を行う組合せ式遊技機（アレンジボール遊技機）が知られている（例えば、特許文献１）。この組合せ式遊技機は、複数の入球口が設けられた遊技盤に向かって遊技球を発射し、遊技球がいずれかの入球口に入球すると、その入球口に対応する入賞図柄が表示される。こうして規定数の遊技球を次々と発射していき、最終的に得られた入賞図柄の組合せにより得点が成立すると、その得点に応じて賞球が払い出される。
【０００３】
こうした組合せ式遊技機では、遊技者にとって有利な遊技状態である特別遊技状態が設けられており、この特別遊技状態では容易に高得点を成立させることができるので、特別遊技状態が発生すれば、遊技者は多くの賞球の払い出しを得ることが可能となる。ここで、この特別遊技状態を発生させるためには、次のような手順を踏む必要がある。先ず、誘導図柄作動ゲートに遊技球を通過させて、可変表示手段に表示されている識別図柄の変動表示を開始させる。変動表示した識別図柄が特定の図柄で停止表示した場合は、可変入球口が開放状態となる。そこで、今度はこの可変入球口に遊技球を入球させ、可変入球口に入球した遊技球が特定領域を通過すると、特別遊技状態が発生する。こうして発生した特別遊技状態は、所定回数の単位遊技が終了するまで継続させることができるので、遊技者はこの期間に多くの賞球の払い出しを得ることが可能である。
【０００４】
【特許文献１】特開２００４−５７３４６号公報
【発明の開示】
【発明が解決しようとする課題】
【０００５】
しかしながら、上記した従来の組合せ式遊技機は、一般に特別遊技状態以外の通常遊技状態においては得点が成立することはそれほど多いとは言えず、従って、通常遊技状態中に賞球が払い出されることはあまり多くはない。
【０００６】
また、上記した従来の組合せ式遊技機では、特別遊技状態中に遊技球が誘導図柄作動ゲートを通過することにより、誘導図柄が特定の図柄で停止表示されて可変入球口が開放状態となる。ところが、この特別遊技状態中において開放状態となった可変入球口に遊技球が入球し、その入球した遊技球が特定領域を通過すると、特別遊技状態が終了して、いわゆるパンクが発生する。
【０００７】
このように、賞球の払い出しがほとんどない通常遊技状態を経て、多くの賞球が払い出される特別遊技状態に至ったとしても、特別遊技状態中にパンクが発生すると、遊技者は特別遊技状態の発生によって得られるはずの利益を十分に得ることができないので、遊技者の興趣を低下させてしまうこととなる。このため、従来の組合せ式遊技機は、遊技者にとっては遊技し難い機種となる恐れがあり、また、遊技店にとっても、セブン機や羽根物や権利物といったパチンコ遊技機に比べて稼働率が低くなるという問題がある。
【０００８】
そこで、本発明は上記課題を解決するためになされたものであり、パンクが発生することで特別遊技状態が途中で終了してしまうことを抑制する組合せ式遊技機を提供することを目的とする。また、本発明の他の目的は、遊技者にとって遊技がし易く、遊技店にとっても稼働率が高まる組合せ式遊技機を提供することである。
【課題を解決するための手段】
【０００９】
上述した課題の少なくとも一部を解決するために、本発明の第１の組合せ式遊技機は次の構成を採用した。すなわち、本発明の組合せ式遊技機は、
遊技球が入球可能な複数の入球領域と、該入球領域への遊技球の入球に応じた入賞情報を表示する入賞情報表示装置とが設けられた遊技盤上に、所定数の遊技球を発射して一単位遊技を行い、この一単位遊技中に前記入賞情報表示装置に表示された入賞情報の組合せから賞態様を決定する組合せ式遊技機であって、
所定の表示領域で複数パターンの識別図柄の変動表示と停止表示とを行う可変表示手段と、
前記可変表示手段において停止表示された識別図柄が特定の図柄であった場合には可変入球口を開放させるとともに、該開放された可変入球口に遊技球が入球するか、あるいは所定回数の単位遊技が終了すると該可変入球口を閉鎖させる可変入球手段と、
前記可変入球口に入球した遊技球を所定の特定領域に誘導する遊技球通路と、
前記可変入球口に入球した遊技球が前記特定領域を通過した場合には遊技者にとって相対的に有利な遊技状態である特別遊技状態を発生させるとともに、該特別遊技状態の発生後に所定回数の単位遊技が終了するか、あるいは遊技球が再び該特定領域を通過すると該特別遊技状態を終了させる遊技状態制御手段と、
前記遊技球通路に対して前記特定領域を移動させる特定領域移動手段と
を備え、
前記特定領域移動手段は、前記特別遊技状態が発生している場合には、前記特定領域への遊技球の通過が抑制される様に、該特定領域を移動させる手段であることを特徴とする。
【００１０】
この本発明の第１の組合せ式遊技機によれば、可変表示手段に予め定められた特定の図柄が表示されると可変入球手段が作動して可変入球口が開放状態となり、この可変入球口に入球した遊技球が特定領域を通過すると、遊技状態制御手段が作動して特別遊技状態が発生する。可変入球口に入球した遊技球は、特定領域と相対して設けられた遊技球通路により誘導されて特定領域を通過するが、遊技球通路に対して特定領域を移動させることにより（特定領域移動手段）、遊技球の特定領域通過確率を高い状態と低い状態とに変化させることができる。
【００１１】
そして、特別遊技状態が発生している場合には、特定領域への遊技球の通過が抑制されるように、該特定領域を移動させることとしている。このため、例え、特別遊技状態中に可変入球口が開放状態となって、その可変入球口に遊技球が入球したとしても、その遊技球が特定領域を通過することは抑制される。ここで、「特定領域への遊技球の通過を抑制する」とは、特定領域への遊技球の通過確率を低くすることであって、遊技球が特定領域を全く通過しない状態（通過確率が０％）も含まれている。このように、特別遊技状態中は特定領域への遊技球の通過確率を抑制することができるので、特別遊技状態が途中で終了してしまうパンクの発生を抑制することができる。この結果、遊技者にとっては興趣が高まって遊技がし易くなり、遊技店にとっても稼働率を高めることが可能となる。
【００１２】
また、従来の組合せ式遊技機では、特別遊技状態中にパンクが発生することを抑制するために、特別遊技状態中に可変入球口が開放状態となった場合に、可変入球口が開放していることを遊技者に対して報知したり、可変入球口に遊技球が入球しないように最適な遊技球の発射位置（いわゆる、右打ち・左打ちなど）を遊技者に対して報知したり、可変表示手段で特定の図柄が停止表示されてから可変入球口が開放するまでの時間を長く設定するなど、種々の対策が採られることが多い。これに対して、本発明の組合せ式遊技機によれば、遊技球通路に対して特定領域を移動させるといった簡単な構成によって、特別遊技状態中のパンクの発生を抑制することができ、前述したような種々の対策を採る必要がない。このため、本発明の組合せ式遊技機によれば、遊技機の構成を簡素にすることができ、これにより、設計の自由度を向上させたり、開発工程を簡素化することができる。
【００１３】
更に、本願の組合せ式遊技機によれば、誘導図柄作動ゲートや可変入球口や可変表示手段など種々の遊技装置の配設位置を、比較的自由に設定することが可能になるので、盤面設計の自由度が向上するという効果も得ることができる。
【００１４】
例えば、前述したように、特別遊技状態の発生中に遊技球が誘導図柄作動ゲートを通過して可変入球口が開放状態となった場合には、該可変入球口に遊技球が入球し易くなり、延いては遊技球が特定領域を通過してパンクが発生し易くなってしまう。特に、特別遊技状態終了後の最初の単位遊技で可変入球口を開放状態としておくために、特別遊技状態中に敢えて誘導図柄作動ゲートを狙って遊技球を発射して可変入球口を開放状態とする場合には、よりパンクが発生し易くなってしまう。このため、従来の組合せ式遊技機では、誘導図柄作動ゲートや可変入球口の配設位置は、パンクの発生を極力抑制することができる位置にする必要があり、こうした理由から盤面構成の設計を自由に行うことが困難であった。
【００１５】
これに対して本発明の組合せ式遊技機では、特別遊技状態の発生中は、遊技球が特定領域を通過することを抑制できるためにパンクの発生を抑制でき、従って、誘導図柄作動ゲートや可変入球口など、種々の遊技装置の配設位置を比較的自由に設定することができる。
【００１６】
こうした組合せ式遊技機において、特別遊技状態が発生している場合には、特定領域への遊技球の通過が抑制されるような所定の移動パターンに従って、特定領域を移動させることとしても良い。ここで「遊技球の通過が抑制されるような所定の移動パターン」とは、遊技球の通過が抑制されるパターンであればよく、例えば、一定のパターンで移動していた特定領域が、特別遊技状態が発生すると停止するようなパターンも、ここでいう所定の移動パターンに含まれている。
【００１７】
このように、特定領域への遊技球の通過が抑制されるような所定の移動パターンを予め設定しておけば、特別遊技状態が発生した場合には、かかる所定の移動パターンで特定領域を移動させるだけで遊技球の通過を抑制することができるので、パンクの発生を簡便に且つ確実に抑制することが可能となる。
【００１８】
前述した課題の少なくとも一部を解決するために、本発明の第２の組合せ式遊技機は次の構成を採用した。すなわち、
遊技球が入球可能な複数の入球領域と、該入球領域への遊技球の入球に応じた入賞情報を表示する入賞情報表示装置とが設けられた遊技盤上に、所定数の遊技球を発射して一単位遊技を行い、この一単位遊技中に前記入賞情報表示装置に表示された入賞情報の組合せから賞態様を決定する組合せ式遊技機であって、
所定の表示領域で複数パターンの識別図柄の変動表示と停止表示とを行う可変表示手段と、
前記可変表示手段において停止表示された識別図柄が特定の図柄であった場合には可変入球口を開放させるとともに、該開放された可変入球口に遊技球が入球するか、あるいは所定回数の単位遊技が終了すると該可変入球口を閉鎖させる可変入球手段と、
前記可変入球口に入球した遊技球を所定の特定領域に誘導する遊技球通路と、
前記可変入球口に入球した遊技球が前記特定領域を通過した場合には遊技者にとって相対的に有利な遊技状態である特別遊技状態を発生させるとともに、該特別遊技状態の発生後に所定回数の単位遊技が終了するか、あるいは遊技球が再び該特定領域を通過すると該特別遊技状態を終了させる遊技状態制御手段と、
前記特定領域に対して前記遊技球通路を移動させる遊技球通路移動手段と
を備え、
前記遊技球通路移動手段は、前記特別遊技状態が発生している場合には、前記特定領域への遊技球の通過が抑制される様に、前記遊技球通路を移動させる手段であることを特徴とする。
【００１９】
かかる第２の組合せ式遊技機においても、開放状態となった可変入球口に遊技球が入球し、この可変入球口に入球した遊技球が特定領域を通過すると、特別遊技状態が発生する。また、第２の組合せ式遊技機においては、特定領域に対して遊技球通路を移動させることによって（遊技球通路移動手段）、遊技球が特定領域を通過する確率を高い状態と低い状態とに変化させることができる。そして、特別遊技状態が発生すると、特定領域への遊技球の通過が抑制されるように遊技球通路を移動させので、例え、特別遊技状態中に可変入球口が開放状態となって、その可変入球口に遊技球が入球したとしても、特定領域を通過することは抑制される。この結果、パンクの発生を抑制することができるので、遊技者にとっては興趣が高まって遊技がし易くなり、加えて、遊技店にとっても稼働率を高めることが可能となる。
【００２０】
また、かかる第２の組合せ式遊技機においても、特別遊技状態の発生中は遊技球が特定領域を通過することを抑制することができるので、パンクの発生を抑制するための種々の対策を高じる必要が無い。このため、このため、遊技機の構成を簡素にすることができ、延いては、設計の自由度を向上させたり、開発工程を簡素化することができる。更に、誘導図柄作動ゲートや可変入球口や可変表示手段など種々の遊技装置の配設位置を、自由に設定することができ、盤面設計の自由度を向上させることも可能となる。
【００２１】
また、かかる第２の組合せ式遊技機においては、特別遊技状態が発生している場合には、特定領域への遊技球の通過が抑制される所定の移動パターンに従って、遊技球通路を移動させることとしても良い。尚、「遊技球の通過が抑制されるような所定の移動パターン」とは、遊技球の通過が抑制されるパターンであればよく、例えば、一定のパターンで移動していた遊技球通路が、特別遊技状態が発生すると停止するようなパターンも、所定の移動パターンに含まれる。
【００２２】
このように、特定領域への遊技球の通過が抑制されるような所定の移動パターンを予め設定しておけば、特別遊技状態が発生した場合には、かかる所定の移動パターンで遊技球通路を移動させるだけで遊技球の通過を抑制することができるので、パンクの発生を簡便に且つ確実に抑制することが可能となる。
【００２３】
また、特別遊技状態が発生すると、遊技球通路を移動させることによって、特定領域への遊技球の通過を抑制する組合せ式遊技機においては、遊技球通路の少なくとも一部に可動部を設けておき、特定領域への遊技球の通過が抑制される様に、可動部を移動させることとしても良い。
【００２４】
遊技球通路に可動部を設ける場合、可動部の大きさや可動部を設ける位置は比較的自由に設定することができる。このため、可動部を容易に移動させることが可能となるだけでなく、演出上の効果を考慮しながら適切に移動させることも可能となる。
【００２５】
また、上述した本発明の第１または第２の組合せ式遊技機においては、特別遊技状態が発生した場合には、可変入球口が開放する確率を増加させることとしてもよい。
【００２６】
特別遊技状態中に可変入球口が開放する確率を増加させれば、当然、特別遊技状態の終了時にも可変入球口が開放している確率が増加する。その結果、続く単位遊技で遊技球を可変入球口に入球させて特定領域を通過させ、再び特別遊技状態を発生させることが容易となるので、いわゆる連荘状態が発生し易くなる。もちろん、特別遊技状態中に可変入球口を開放させれば、遊技球が入球し易くなるので、通常であればパンクが発生し易くなってしまう。しかし、本発明の組合せ式遊技機では、特別遊技状態中において可変入球口に遊技球が入球したとしても、その遊技球が特定領域を通過することを抑制できるので、これによりパンクの発生を抑制することができる。
【発明を実施するための最良の形態】
【００２７】
以下では、上述した本願発明の内容を明確にするために、次のような順序に従って実施例を説明する。
Ａ．アレンジボール遊技機の装置構成：
Ａ−１．全体構成：
Ａ−２．ガイドレールおよび発射装置ユニットの構造：
Ａ−３．遊技盤の構成：
Ａ−３．裏面構造：
Ｂ．電子制御装置の構成：
Ｂ−１．全体構成：
Ｂ−２．払出制御部の構成：
Ｂ−３．発射制御部の構成：
Ｂ−４．音ランプ制御部の構成：
Ｂ−５．図柄制御部の構成：
Ｂ−６．遊技確認時間：
Ｃ．遊技球発射制御の概要：
Ｄ．パチンコ機全体の制御の概要：
Ｄ−１．メインジョブの概要：
Ｄ−２．電源投入処理：
Ｄ−３．遊技開始処理：
Ｄ−４．ゲーム管理処理：
Ｄ−５．入賞図柄処理：
Ｄ−６．役物遊技処理：
Ｄ−７．得点増加装置処理：
Ｄ−８．誘導増加装置処理：
Ｄ−９．誘導図柄および役物誘導装置処理：
Ｄ−１０．電源断発生処理：
Ｄ−１１．第２役物作動開始処理
Ｅ．変形例：
【００２８】
Ａ．アレンジボール遊技機の装置構成  ：
Ａ−１．全体構成  ：
図１は、本実施例のアレンジボール遊技機（以下、単に遊技機という）１の正面図である。図１に示すように、遊技機１の前面部は、本体枠２、中枠３、前面枠４、上皿部５、下皿部６、施錠装置９、遊技盤２０等を備えている。なお、図１では遊技盤２０の詳細な図示を省略している。また、中枠３は前面枠４等が前面側に配置されているため、図１においては明示されていない。
【００２９】
本体枠２は、木製の板状体を略長方形の枠状に組立てて形成されており、遊技機１の外枠を構成する。本体枠２の内側には、プラスチック製の中枠３が左端で軸支されて、本体枠２に対して開閉可能な状態ではめ込まれている。この中枠３の上側２／３程度を占める部分は枠体部となっており、下側１／３程度を占める部分は下板部となっている。
【００３０】
中枠３の下側を占める下板部には、上皿部５および下皿部６に加えて、発射装置ユニット１０（図２、図４参照）や、球送り装置１２（図７参照）、球送りカウントスイッチ、発射球カウントスイッチ、検出スイッチ、スピーカ２６６（図２７参照）などが設けられている。発射装置ユニット１０は、遊技球を遊技盤２０に発射する遊技球発射手段を構成しており、球送り装置１２は、この発射装置ユニットに遊技球を供給する。発射装置ユニット１０に供給される遊技球は、球送りカウントスイッチによって検知され、発射される遊技球は、発射球カウントスイッチによって検知される。また、発射装置ユニット１０から発射された遊技球のうち遊技盤２０面に到達しなかった遊技球は、ファール球検出スイッチによって検知される。本実施例のスピーカ２６６は、中高音用スピーカ（ツイータ）および低音用スピーカ（ウーフア）を含んで構成されていて、遊技状態に応じた効果音等を発生させることができる。上皿部５および下皿部６の詳細については後述する。
【００３１】
一方、中枠３の上側を占める枠体部には、その前面側に遊技盤２０が、更にその前面側に前面枠４が設けられており、前面枠４は中枠３の左端で開閉可能に軸支されている。前面枠４は、奥側に配置される遊技盤２０の盤面を視認可能にするために、円形状の開口部４ａが形成されており、この開口部４ａにはガラス板等の透明板がはめ込まれている。
【００３２】
前面枠４は、プラスチック材料で形成されており、遊技効果等のためのランプ類として、左ＬＥＤ表示部４ｂ、右ＬＥＤ表示部４ｃ、左上ＬＥＤ表示部４ｄ、右上ＬＥＤ表示部４ｅ、上ＬＥＤ表示部４ｆが設けられている。左ＬＥＤ表示部４ｂと右ＬＥＤ表示部４ｃとは、開口部４ａの周囲の右側と左側にそれぞれ円弧状に設けられている。左上ＬＥＤ表示部４ｄは左ＬＥＤ表示部４ａの左上方に設けられ、右上ＬＥＤ表示部４ｅは右ＬＥＤ表示部４ｃの右上方に設けられている。上ＬＥＤ表示部４ｆは円形状に形成され、左ＬＥＤ表示部４ｂの上端部と右ＬＥＤ表示部４ｃの上端部との問に２個設けられている。これらのＬＥＤ表示部４ａ〜４ｆは、遊技効果を高めるためにゲーム進行に応じて点灯・消灯あるいは点滅する。
【００３３】
また、２個の上ＬＥＤ表示部４ｆの間には、２個の賞球ＬＥＤ表示部４ｇが設けられている。賞球表示ＬＥＤ表示部４ｇの上方には、扇形のエラーＬＥＤ表示部４ｈが設けられている。本実施例のエラーＬＥＤ表示部４ｈは、重度のエラー発生の場合は赤色に、軽度のエラー発生の場合はオレンジ色に点灯あるいは点滅する。ここで、重度のエラーとは、例えば復旧のために前面枠４を開放して作業を行う必要があったり、あるいは部品を交換したりする必要があるような場合のエラーであり、軽度のエラーとは、それ以外のエラーである。
【００３４】
また、前面枠４には、図示しないドアスイッチが設けられている。ドアスイッチにて前面枠４が所定時間（本例では１秒）以上開放していることが検知された場合には、後述する払出制御部２３０は前面枠開放エラーが発生したと判断し、エラーＬＥＤ表示部４ｈをオレンジ色に点灯させ、発射装置ユニット１０による発射停止を行う。前面枠開放エラーは、ドアスイッチにて前面枠４が所定時間（例えば１秒）以上閉鎖していることが検知された場合に解除される。なお、前面枠４開放に関するエラー信号は、払出制御部２３０から後述の主制御部２００には送信されない。
【００３５】
前面枠４の下方には、中枠３の下板部に設けられた上皿部５が、中枠３に対して開閉可能に左端側で軸支されている。この上皿部５には、皿状の凹部と、凹部を取り巻くように形成された皿外縁部５ａとが設けられている。遊技球は、上皿部５に形成された凹部に投入されて、後述する発射装置ユニットに供給される。また、皿外縁部５ａには、遊技球の貸球ボタン、返却ボタン等に加えて、投入された遊技球を排出するための排出ボタン５ｂが設けられており、上皿部５の内部には、遊技球を排出するための機構などが設けられている。さらに、上皿部５の略中央部には複数の長孔とその上部に多数の小穴が形成された第１音声出力部５ｙが形成されている。第１音声出力部５ｙは、スピーカ２６６のうち中高音用スピーカ（ツイータ）とダクトを介して接続されており、中高音用スピーカからの音声がダクトを介して出力される。上皿部５の裏面には音量スイッチ基板２６７（図２７参照）が設けられている。
【００３６】
下皿部６は、上皿部５の下方に設けられている。下皿部６の略中央には、遊技機１の内部から遊技球を排出するための排出口６ａが設けられている。また、下皿部６の底面には図示しない球抜き穴が設けられている。球抜き穴は通常時には閉鎖しており、下皿部６に貯留された遊技球を排出する際に開放する。
【００３７】
下皿部６の略中央手前側には、球抜き穴を開閉させる排出ノブ６ｂが設けられている。排出ノブ６ｂは、下皿部６の周縁部の一部を構成している。排出ノブ６ｂは、通常時は直立状態であり、下端を回転軸として上端を手前側に倒すように回転可能となっている。球抜き穴は排出ノブ６ｂに連動しており、排出ノブ６ｂが直立状態のときには球抜き穴は閉鎖しており、排出ノブ６ｂを手前側に倒すことで球抜き穴は開放する。
【００３８】
排出ノブ６ｂは、プルロック式に構成されている。遊技者が下皿部６に溜まった遊技球を手前側に掻き出すように動作することで、排出ノブ６ｂが回転軸を中心に手前側に回転し、この状態でロックされる。同時に球抜き穴が排出ノブ６ｂの回転に連動して開放し、遊技球が下皿部６から排出される。排出ノブ６ｂをもう一度押すことでロックが解除され、排出ノブ６ｂを元の状態に戻すことができ、球抜き穴は閉鎖する。
【００３９】
下皿部６における排出ノブ６ｂの右側および左側の下面には、第２音声出力部６ｃが設けられている。第２音声出力部６ｃは、スピーカ２６６のうち低音用スピーカ（ウーフア）とダクトを介して接続されており、低音用スピーカからの音声が下方に向かって出力される。また、下皿部６の左側には灰皿７も設けられている。
【００４０】
一方、下皿部６の右端には、遊技者が発射装置ユニット１０（図２、図３参照）を操作するための発射ハンドル８が設けられている。発射ハンドル８には、遊技者が触れていることを検出するタッチスイッチ８ａが設けられている。発射ハンドル８の左側面には、遊技者が操作して遊技球の発射を一時的に停止する発射停止スイッチ８ｂが配置されている。なお、本実施例の発射停止スイッチ８ｂは、タッチスイッチ回路内に設けられており、タッチスイッチ８ａと電気的に接続されている。
【００４１】
施錠装置９は、中枠３の右端中央に設けられており、前面枠４を閉じた場合にこれを施錠するためのものである。また、遊技機１の左側には、プリペイドカードユニット１３〈ＣＲユニット）が装着されている。
【００４２】
Ａ−２．ガイドレールおよび発射装置ユニットの構造  ：
次に、図２〜図６を参照しながら、遊技球を誘導するガイドレールおよび発射装置ユニットについて説明する。図２は中枠３を正面側からみた斜視図であり、図３は中枠３を背面側からみた斜視図である。また、図４は発射レール１１の拡大図である。
【００４３】
図２に示すように、中枠３には外レール２２が設けられている。外レール２２は、遊技盤２０上に形成される後述の中レール２３（図８参照）とともに遊技盤２０上に遊技球を誘導するガイドレールを構成している。外レール２２は、板状部材を円弧状に曲げることによって形成されている（図３参照）。外レール２２は、両端部の一部が板面に対して直角に折り曲げられ、取付部（ネジ止め部）２２ａ、２２ｂが形成されている。取付部２２ａ、２２ｂにはネジ穴が形成されている。
【００４４】
中枠３には、略円弧状のレール取付部３ａが形成されている。このレール取付部３ａの内側に外レール２２をはめ込んで、取付部２２ａ、２２ｂをレール取付部３ａにネジ止めすれば、外レール２２を中枠３に固定することができる。このように外レール２２の一部を折り曲げて形成した取付部２２ａ、２２ｂを利用して中枠３に取り付けることとすれば、外レール２２を中枠３に固定するための固定部材を別途用いる必要がなくなるので、部品点数を削減できるとともに、組み付け作業も容易に行うことが可能となる。
【００４５】
図２に示すように、外レール２２の右下には発射レール１１が設けられている。また、図４に示すように、発射レール１１における遊技球の発射位置には、上述した発射球カウントスイッチ２２１が設けられている。
【００４６】
図２、図３には、上述した発射装置ユニット１０が中枠３に取り付けられている様子が示されている。発射装置ユニット１０には、回転軸を中心にして往復移動して遊技球を打撃する槌１０ａ（図２参照）や、槌１０ａの回転を規制するストッパ部１０ｂ、１０ｃ（図２）、槌１０ａに打撃力を付与するバネ部１０ｄ（図３）、モータ部１０ｆ（図３）などが設けられている。モータ部１０ｆには、発射モータが内蔵されており、モータの回転軸に固定されたカム１０ｅが回転することによって、槌１０ａに連続的に打撃力を発生させる。
【００４７】
また、ハンドル軸１０ｇ（図２）は、前述した発射ハンドル８に連結されている。遊技者がハンドル８を回転させると、ピニオン１０ｈとラック１０ｉ（図３）によって、その回転運動が直線運動に変換される。そしてラック１０ｉは、遊技者による発射ハンドル８の操作量をバネ部１０ｄに伝達する。
【００４８】
図５は、発射ハンドル８を回転させていない場合のピニオン１０ｈとラック１０ｉの拡大図である。また、図６は、発射ハンドル８を回転させている場合のピニオン１０ｈとラック１０ｉの拡大図である。図５および図６に示されているように、ラック１０ｉの近傍には発射スタートスイッチ１０ｊが設けられている。発射スタートスイッチ１０ｊは、直線運動するラック１０ｉの移動によって、出力がオンとオフとに切り替わるように構成されている。本実施例では発射スタートスイッチ１０ｊとしてリミットスイッチを用いている。
【００４９】
発射スタートスイッチ１０ｊは、遊技者が発射ハンドル８を所定角度以上回転させ、ラック１０ｉが遊技球の打ち出しに最も適した所定の発射スタート位置にきたときにオン／オフが切り替わるような位置に設けられている。本実施例の発射スタートスイッチ１０ｊは、発射ハンドル８を操作していない場合にオン出力（Ｈｉｇｈ）であり、遊技者が発射ハンドル８を操作すると、すなわち所定角度以上回転させるとオフ出力（Ｌｏｗ）に切り替わる。
【００５０】
バネ部１０ｄには、弾性体としてのゼンマイバネが内蔵されており、ゼンマイバネの一端は槌１０ａの回転軸に接続され、他端はラック１０ｉに接続されている。ラック１０ｉは、直線運動によりゼンマイバネ（渦巻きバネ）のバネ力（反発力）を調整するバネスライダ部を構成している。ゼンマイバネのバネ力は、槌１０ａの先端を発射位置方向に移動させる方向に働く。槌１０ａは、遊技球の発射を行っていない定常時には、ゼンマイバネのバネ力によりストッパ部１０ｂ、１０ｃに押しつけられている。このとき、槌１０ａの先端は遊技球直前の発射位置に位置する。槌１０ａの先端は、図４に示すように発射球カウントスイッチ２２１の手前に位置している。なお、ストッパ部１０ｂ、１０ｃにおける槌１０ａとの接触部は、弾性部材から構成されている。
【００５１】
本実施例では、モータ部１０ｆの発射モータとしてマイクロステップ駆動のステッピングモータを用いている。ステッピングモータは、所定周波数の駆動パルス信号により駆動される。このようなマイクロステップ駆動のステッピングモータを採用することにより、低振動化を図ることが可能となる。
【００５２】
また、槌１０ａの回転軸には、カム１０ｅと接触する係合部（図示せず）が設けられている。発射モータが回転することで、カム１０ｅが槌１０ａの係合部を押圧し、槌１０ａがゼンマイバネを圧縮しながら発射位置から離れる方向に引っ張られる。カム１０ｅが所定の発射角度まで回転すると、カム１０ｅと槌１０ａの係合部との係合が外れ、ゼンマイバネのバネ力により槌１０ａが振り出される。この結果、槌１０ａの先端は発射位置にある遊技球を打撃（発射）することができる。槌１０ａは、ストッパ部１０ｂ、１０ｃに接触するまで回転し、ストッパ部１０ｂ、１０ｃは槌１０ａが衝突すると弾性変形しながら、槌１０ａの回転運動を停止させる。
【００５３】
このように、発射モータが１回転する毎に遊技球が１球発射される。発射モータが連続して回転することで上記動作を繰り返し、遊技球を連続的に発射することができる。
【００５４】
モータ部１０ｆには、発射モータ回転軸が原点位置（原点角度）にあることを検出するための原点センサ（図示せず）が設けられている。原点センサとしては、例えば光センサを用いることができる。本実施例では、槌１０ａが振り出される所定の発射角度から所定角度（例えば１５〜２００）だけ回転した位置を原点と定めている。
【００５５】
遊技者は、発射ハンドル８の回転量を調整することで、槌１０ａによる遊技球の打撃力（発射力）を調整することができる。すなわち、遊技者が発射ハンドル８を回転させると、ハンドル軸１０ｇとハンドル軸１０ｇに連結されたピニオン１０ｈを介して、ラック１０ｉが直線運動する。ラック１０ｉはバネ部１０ｄのゼンマイバネに接続されているので、ラック１０ｉの移動量に応じてゼンマイバネのバネ力を変化させることで、槌１０ａによる遊技球の発射力を変化させることができる。
【００５６】
ここで、球送り装置１２について図７に基づいて説明する。球送り装置１２は、前述した上皿部５の遊技球投入部に投入された遊技球を、発射レース１１の発射位置に供給する機能を有している。図７（ａ）〜（ｃ）は球送り装置１２の正面図およびＡ−Ａ断面図を示している。上皿部５に貯留された遊技球は、球送り装置１２の動作によって、発射レール１１の発射位置に供給される。図７（ａ）〜（ｃ）に示すように、球送り装置１２には球送りカム１２ｂが設けられている。球送りソレノイド１２ａが球送りカム１２ｂを駆動すると、上皿部５の遊技球が１個ずつ発射レール１１の発射位置に供給される。
【００５７】
図７（ａ）は、球送りソレノイド１２ａがオフとなった状態を示している。球送りソレノイド１２ａがオフになると、上皿部５からの供給口を塞ぐような位置まで球送りカム１２ｂが回転する。その結果、上皿部５の遊技球を受け入れ不可能な状態となる。
【００５８】
図７（ｂ）は、球送りソレノイド１２ａがオンとなった状態を示している。球送りソレノイド１２ａがオンになると、球送りカム１２ｂが逆方向に回転し、塞がれていた供給口を通って上皿部５から遊技球が供給され、球送りカム１２ｂに設けられた凹部に流入する。もっとも、凹部は遊技球１球分の大きさしかないので、結局、球送りソレノイド１２ａがオンになると、上皿部５から球送りカム１２ｂの凹部に１球だけ遊技球が供給されることになる。
【００５９】
図７（ｃ）は、球送りソレノイド１２ａが再びオフとなった状態を示している。球送りソレノイド１２ａがオフになると、球送りカム１２ｂは、再び、上皿部５からの供給口を塞ぐような位置まで回転する。この時、凹部に受け入れていた遊技球が発射レール１１に供給される。すなわち、遊技球が１球だけ発射レール１１に供給されることになる。
【００６０】
このように、球送りソレノイド１２ａをオフからオンにする度に、遊技球が１球だけ球送りカム１２ｂの凹部に受け入れられ、また、球送りソレノイド１２ａをオンからオフに戻す度に、球送りカム１２ｂの凹部に１球だけ受け入れられていた遊技球が、発射レール１１に供給されることになる。
【００６１】
Ａ−３．遊技盤の構成  ：
次に、遊技盤２ｄの構成について図８に基づいて説明する。図８は、遊技盤２０の盤面を模式的に示した正面図である。遊技盤２０は、中枠３の前面側に着脱可能に取り付けられている。
【００６２】
図８に示すように、遊技盤２０は、外レール２２と内レール２３により形成される略円形状の遊技領域２１が設けられている。遊技領域２１の中央には、振り分け装置３６が設けられており、振り分け装置３６の下方には１６連入球口（入球領域）２４および１６連入球口ＬＥＤ表示部（入賞情報表示装置）２５が、振り分け装置３６の上方には第１役物作動口（可変入球口）３２が、左方には図柄表示装置（可変表示手段）３１が、右方には第２役物作動口３３が設けられている。図柄表示装置３１の上方には誘導図柄作動ゲート２９が設けられており、図柄表示装置３１の下方には左入球口（入球領域）２６が設けられている。第２役物作動口３３の上方には、右入球口（入球領域）２７が設けられており、その更に上方には、役物誘導装置作動ゲート３０が設けられている。これら１６連入球口２４、左入球口２６、誘導図柄作動ゲート２９、役物誘導装置作動ゲート３０、第１役物作動口３２、第２役物作動口３３の内部には、図示しない入球検知スイッチがそれぞれ設けられており、遊技球の入球あるいは通過を検知することが可能となっている。尚、本実施例では、１６連入球口２４は、１６個の入球口によって構成されているものとして説明するが、この１６連入球口２４を構成する入球口の数は１６個に限定されるものではなく、例えば、１５個の入球口から構成される１５連入球口とすることも可能である。
【００６３】
１６連入球口２４の右端にある入球口（１６番の入球口）は得点増加装置作動口２４ａとなっており、この入球口に遊技球が入球すると、得点増加装置が作動する。また、１６連入球口２４の下方には得点表示装置２８も設けられており、得られた得点の数値が表示される。
【００６４】
更に、遊技領域２１には、図示しない多数の障害釘も設けられている。１６連入球口２４の、少なくとも３番、５番、１１番、１３番、１５番の各入球口については、遊技球が直接には入球し難いように障害釘が設定されている。１６連入球口２４の上方左側に設けられた左入球口２６に遊技球が入球すると、５番の入球口に入球したのと同様の効果が得られるようになっており、また、右入球口２７に遊技球が入球すると、１２番の入球口に入球したことと同様の効果が得られるようになっている。
【００６５】
本実施例の図柄表示装置３１は、液晶（ＬＣＤ）によって構成されており、予め定められた複数の誘導図柄（識別図柄）を変動停止表示することが可能となっている。尚、図柄表示装置３１を、いわゆるドットマトリックス式の表示装置や、７セグメント式ＬＥＤなどを用いて構成することとしてもよい。
【００６６】
遊技球が誘導図柄作動ゲート２９を通過すると、図柄表示装置３１において誘導図柄の変動表示が開始され、所定時間の経過後に図柄が停止表示される。そのとき、当たり図柄で停止表示された場合は、第１役物誘導装置（可変入球手段）が作動して、第１の可変入球口としての第１役物作動口３２が開放状態となる。この第１役物作動口３２に遊技球が入球すると、遊技球は振り分け装置３６に導かれるようになっている。振り分け装置３６については後述する。遊技球が第１役物作動口３２に入球すると、１６連入球口ＬＥＤ表示部２５における４つの入賞図柄を同時に表示させる第１役物が作動して、１２・１３・１５・１６番の入賞図柄が点灯表示する。また、第１役物は、当該ゲームが終了したときには作動を終了する。
【００６７】
第１役物誘導装置は、後述の主制御部２００を主体に構成されるもので、図柄表示装置３１で当たり図柄の組合せが停止表示された場合に作動するが、第１役物誘導装置の作動中に第１役物作動口３２に入球があった場合、あるいは３ゲームが終了した場合には作動を終了して、第１役物作動口３２を閉鎖する。
【００６８】
一方、遊技領域２１の右上方には、役物誘導装置作動ゲート３０が設けられている。この役物誘導装置作動ゲート３０は、誘導増加装置が作動することによって有効になる。また、役物誘導装置作動ゲート３０の右下方には第２役物作動口３３が設けられている。役物誘導装置作動ゲート３０の有効時に、遊技球が第２役物誘導装置作動ゲート３０を通過すると、第２役物誘導装置が作動を開始して第２役物作動口３３が開放状態となり、遊技球が入球し易くなる。第２役物作動口３３は、１６連入球口ＬＥＤ表示部２５における４つの入賞図柄を同時に表示させる第２役物を作動させるものである。第２役物作動口３３に入球した場合には、第２役物が作動して１１・１３・１４・１５番の入賞図柄が点灯表示する。第２役物は、当該ゲームが終了したときに作動を終了する。
【００６９】
また、役物誘導装置作動ゲート３０は、各単位ゲームにおいて最初に遊技球が通過して第２役物作動口３３が開放状態となるまでは有効であるが、第２役物作動口３３が一旦開放状態になってから次の単位ゲームが開始されるまでは無効となる。
【００７０】
第２役物誘導装置は、後述の主制御部２００を主体として構成されるもので、上述したように、役物誘導装置作動ゲート３０の有効時に遊技球が通過すると作動を開始するが、第２役物誘導装置の作動中に第２役物作動口３３に入球があった場合、あるいは当該ゲームが終了したときには作動を終了して、第２役物作動口３３を閉鎖する。
【００７１】
次に、第１役物作動口（可変入球口）３２に入球した遊技球が導かれる振り分け装置３６について説明する。図９は、振り分け装置３６の構成を示す斜視図である。図示されているように振り分け装置３６は、旋回板（クルーン）３７と、誘導増加装置作動領域（特別領域、いわゆるＶゾーン）４１ａと、排出口３８ａなどから構成されている。クルーン３７は、浅いすり鉢のような円盤状に形成されており、遊技球が通過可能な３つのクルーン穴が設けられている。第１役物作動口３２に入球した遊技球は、振り分け装置３６に導かれ、クルーン３７上で旋回しながらいずれかのクルーン穴を通過する。
【００７２】
クルーン３７の下方には３つの通過穴３７ａ、３７ｂ、３７ｃが設けられており、それぞれの通過穴は対応するクルーン穴と遊技盤の内部で繋がっている。従って、遊技球がクルーン３７で旋回した後、いずれかのクルーン穴を通過すると、そのクルーン穴に対応する通過穴から遊技球が転がり出てくることになる。３つの通過穴３７ａ、３７ｂ、３７ｃの下方には、傾斜面３９（遊技球通路）が設けられており、傾斜面３９の下端には誘導増加装置作動領域４１ａ（特定領域）が設けられている。この誘導増加装置作動領域４１ａは、図１８に示す作動領域用モータ（特定領域移動手段）によって駆動され、傾斜面３９の下端を所定の周期で左右方向に往復運動する。通過穴から出てきて傾斜面３９を転がり落ちた遊技球が、誘導増加装置作動領域４１ａを通過すれば、遊技者にとって有利な遊技状態である特別遊技状態が発生する。もっとも、遊技球が３つの通過穴３７ａ、３７ｂ、３７ｃのいずれから出てくるかは決まっておらず、しかも誘導増加装置作動領域４１ａは左右方向に往復運動しているので、遊技球がいつも誘導増加装置作動領域４１ａを通過するわけではない。誘導増加装置作動領域４１ａを通過しなかった遊技球は、傾斜面３９の下方に設けられた排出口３８ａ（非特定領域）を通過して、遊技盤裏面に排出される。
【００７３】
ここで、３つの通過穴３７ａ、３７ｂ、３７ｃのうちで、中央にある通過穴３７ｂに続く部分の傾斜面３９には、図９に示すように、浅く溝が形成されている。このため、中央の通過穴３７ｂから出てきた遊技球は、溝に導かれて傾斜面３９の中央をまっすぐに転がっていく。これに対して、他の通過穴から出てきた遊技球は、通過穴から出てくるときの球の進行方向や回転方向などの影響によっては、傾斜面３９を斜めに転がり落ちることになる。斜めに転がり落ちた遊技球が、傾斜面３９の中央に設けられた溝に捉えられれば、傾斜面３９の中央から落下することになる。すなわち、中央の通過穴３７ｂから出てくる遊技球だけでなく、通過穴３７ａ，３７ｃから出てくる遊技球も、その一部については傾斜面３９の中央から落下することになるので、遊技球は傾斜面３９の中央部分から落下する確率が高くなっている。
【００７４】
誘導増加装置作動領域４１ａを遊技球が通過すると、誘導増加装置が作動して、遊技者に有利な特別遊技状態（大当たり状態）が発生する。また、特別遊技状態が発生すると、役物誘導装置作動ゲート３０が有効になる。更に、特別遊技状態が発生すると、図柄表示装置３１で停止表示される識別図柄に拘らず第１役物作動口３２が開放されるようになる
。すなわち、特別遊技状態中は第１役物作動口３２が開放することとなる確率が１／１（１００％）に増加し、誘導図柄作動ゲート２９を遊技球が通過した場合には必ず第１役物作動口３２が開放されることになる。
【００７５】
誘導増加装置は、作動開始から所定回数の１４ゲームが終了した場合、あるいは作動中に新たに遊技球が誘導増加装置作動領域４１ａを通過（いわゆるパンク）した場合に、その作動を終了する。尚、誘導増加装置は、後述の主制御部２００を主体として構成されており、本発明の遊技状態制御手段の一態様となっている。
【００７６】
本実施例の遊技機１は、一単位遊技（１ゲーム）に規定数（例えば１５個）の遊技球を発射して、この単位遊技中に点灯表示した入賞図柄の組合せにより賞態様が決定（得点が成立）し、賞態様に対応する賞遊技価値の付与として賞球の払い出しが行われる。例えば入賞図柄が４個連続して点灯表示された場合には１点が付与され、１点につき規定数の賞球が払い出される。本発明の賞遊技価値付与装置は、後述の主制御部２００を主体として構成される。また、本実施例では、所定の入賞図柄の連続した組合せ（本例では１２・１３・１４・１５番）に対して３点が付与される。ただし、１ゲームにおいて獲得できる遊技球数は、規定数の１０倍（規定数を１５個とすれば１５０個）が上限となっている。
【００７７】
前述したように、１６連入球口２４のうち１６番の入賞図柄に対応する入球口２４ａは、得点増加装置作動口としての機能も有しており、遊技球が入球口２４ａに入球した場合には、１６番の入賞図柄が表示されるとともに得点増加装置が作動する。得点増加装置は、後述の主制御部２００を主体として構成され、当該ゲームにおいて１得点当たりに払い出される賞球数を増加（本例では２倍）させる機能を有している。得点増加装置は、当該ゲームが終了したときに作動を終了する。
【００７８】
入球口２４ａは、１６個の入球口が横方向に一列に並んで配置される１６連入球口２４の右端部に位置しており、遊技球が難入球口に比べ比較的入球し易い普通入球口である。遊技者は、遊技領域２１の右方側に設けられた役物誘導装置作動ゲート３０、第２役物作動口３３などを狙って遊技球を打ち出す操作（いわゆる右打ち）を行うことにより、特別遊技状態が発生しているときはもちろんのこと、特別遊技が発生していない通常遊技状態においても、入球口２４ａに遊技球を容易に入球させることができる。
【００７９】
Ａ−３．裏面構造  ：
次に、本実施例の遊技機１の裏面構造について図１０〜図１２に基づいて説明する。図１０は遊技機１の裏機構盤１０２の正面図であり、図１１は賞球タンク１０５およびタンクレール１０６の平面図であり、図１２はケースレール１０８の形状を示す概念図である。
【００８０】
図１０に示すように、裏機構盤１０２は中枠３における遊技盤２０の反対面に設けられており、一対のヒンジ１０３により中枠３に開閉可能に取り付けられている。裏機構盤１０２の左上方部には、タンク球切れ検知スイッチ１０４を底部に備えた賞球タンク１０５が設けられている。タンク球切れ検知スイッチ１０４は、賞球タンク１０５内に遊技球が存在する場合にはオン出力となり、賞球タンク１０５内に遊技球が存在しない場合にはオフ出力となる。賞球タンク１０５には、外部の補給装置から供給される払い出し用の遊技球が貯留されている。賞球タンク１０５の下方には、賞球タンク１０５と接続したタンクレール１０６が設けられている。タンクレール１０６は、賞球タンク１０５の底部から遊技球払出装置１０９の上方まで傾斜して形成されている。タンク球切れ検知スイッチ１０４のオフ状態が所定時間以上検知された場合には、後述する払出制御部２３０はタンク球切れエラーが発生したと判断し、エラーＬＥＤ表示部４ｈをオレンジ色に点灯させ、遊技球払出装置１０９による賞球停止と貸球停止とを行う。タンク球切れエラーは、タンク球切れ検知スイッチ１０４のオン状態が所定時間（本例では１秒）以上検知された場合に解除される。なお、タンク球切れに関するエラー信号は、払出制御部２３０から後述の主制御部２００に送信される。
【００８１】
図１１に示すように、タンクレール１０６は裏機構盤１０２の側面から所定の間隔を設けて配置されている。これにより、裏機構盤１０２の壁面とタンクレール１０６との間の空間を有効利用することができる。例えば、遊技盤２０中央付近に大型の液晶表示装置等の電子機器を配置する場合に有効である。タンクレール１０６内には、遊技球が整列しながら流下する２列の樋１０６ａ、１０６ｂが平行して設けられている。賞球タンク１０５内の遊技球は、賞球タンク１０５の底部からタンクレール１０６の各樋１０６ａ、１０６ｂに流入し、タンクレール１０６を整列しながら流下する。
【００８２】
図１０に戻り、タンクレール１０６の右側には、球抜きレバー１０７が設けられている。球抜きレバー１０７の下流側には、順に遊技球払出装置１０９、遊技球の振り分け部１１０がそれぞれ設けられている。遊技球払出装置１０９については後述する。また、図１２に示すように、タンクレール１０６の下流側であって、遊技球払出装置１０９の上方には、タンクレール１０６を流下してきた遊技球の進行方向を変えて遊技球払出装置１０９に誘導するためのケースレール（遊技球誘導通路）１０８が設けられている。ケースレール１０８内には、タンクレール１０６の各樋１０６ａ、１０６ｂに対応して２本の樋（遊技球通路）が平行して形成されている。
【００８３】
図１２に示すように、ケースレール１０８には上流側から順に、タンクレール１０６を流下してきた遊技球の進行方向を変えて球速を落とすための屈曲部１０８ａと、遊技球払出装置１０９に供給される遊技球の球圧を上げるための垂直部１０８ｂとが設けられている。屈曲部１０８ａの下流側端部は、ケースレール１０８における略中央部より上流側に設けられており、垂直部１０８ｂは、遊技球払出装置１０９の直前において垂直に所定の長さを有するように設けられている。これにより、垂直部１０８ｂがケースレール１０８全体の半分以上の長さを占めてしる。このような垂直部１０８ｂを遊技球払出装置１０９の直前に設けることで、遊技球の自重により遊技球払出装置１０９に供給される遊技球の球圧を上げることができる。
【００８４】
図１０に戻り、タンクレール１０６の下方には、図柄表示装置３１の表示盤を格納した蓋付きの裏ケース１１１が設けられている。裏ケース１１１の下方には主制御基板ケース１１２が設けられ、主制御基板ケース１１２の下方には発射装置制御基板ケース１１３が設けられ、裏機構盤１０２の右下方部には、払出制御基板ケース１１８が設けられている。これらの基板ケース１１２、１１３、１１８には、後述の各種制御基板が格納されている。また、主制御基板ケース１１２の右側上方には後述の盤面中継基板が装着されている。
【００８５】
裏機構盤１０２の右上方部には、ヒューズボックス１１９と、電源スイッチ１２０と、電源中継基板１２１と、大当たり、発射装置制御、球切れ、扉開放、賞球、貸球用等の遊技機枠用外部接続端子を備えた枠用外部端子基板１２２が設けられている。また、この端子基板１２２の上側には、外部からの電力の供給を受けるための電源ケーブル１２３が設けられている。払出制御基板ケース１１８から接続ケーブル１２４が上方に延び、電源ケーブル１２５を備えたプリペイドカードユニット１３に接続されている。また、裏機構盤１０２の略中央下端部には、下皿部用球通路部材１２６が設けられている。
【００８６】
次に、遊技球払出装置１０９の構成について図１３、図１４に基づいて説明する。図１３は遊技球払出装置１０９の外観を示す斜視図であり、図１４は遊技球払出装置１０９を分解した状態を示す斜視図である。図１３に示すように、遊技球払出装置１０９の内部には、上述のケースレール１０８から供給される遊技球が通過可能な遊技球通路１０９ａ、１０９ｂが２列形成されている。また、遊技球払出装置１０９は、３つのケーシング１０９ｃ、１０９ｄ、１０９ｅと払出モータ１０９ｆとを備えている。払出モータ１０９ｆとしては、例えばステッピングモータを用いることができる。遊技球払出装置１０９は、２列の遊技球通路１０９ａ、１０９ｂから交互に遊技球を払い出すように構成されている。
【００８７】
図１４に示すように、ケーシング１０９ｃ、１０９ｄ、１０９ｅの内部には、遊技球通路１０９ａ、１０９ｂにおける遊技球の流れを規制するカム１０９ｇ、１０９ｈと、払出モータ１０９ｆの駆動力をカム１０９ｇ、１０９ｈに伝える駆動力伝達軸１０９ｉが設けられている。カム１０９ｇ、１０９ｈは払出モータ１０９ｆにより回転駆動され、カム１０９ｇ、１０９ｈの回転／停止により、遊技球払い出しのオン／オフが行われる。
【００８８】
カム１０９ｇ、１０９ｈは、各遊技球通路１０９ａ、１０９ｂに対応した２枚の板状回転体からなる。各カム１０９ｇ、１０９ｈは、回転軸にて連結されている。各カム１０９ｇ、１０９ｈの外周部には、略円弧状の凹部（球受け部）が３つ形成されており、各凹部に遊技球通路１０９ａ、１０９ｂを流れる遊技球が１個ずつ入り込む。それぞれのカム１０９ｇ、１０９ｈに形成された凹部は、各カム１０９ｇ、１０９ｈで位相をずらして形成されている。各カム１０９ｇ、１０９ｈは、外周部に形成された凹部が各遊技球通路１０９ａ、１０９ｂに位置するように配置されている。カム１０９ｇ、１０９ｈは、図１４において反時計回りに回転し、遊技球通路１０９ａ、１０９ｂに上方から供給される遊技球を１個ずつ下方へ送り出す。
【００８９】
各凹部の外縁部のうちカム回転方向の前側が滑らかに形成されている。これにより、カム１０９ｇ、１０９ｈが回転する際、遊技球通路１０９ａ、１０９ｂの遊技球がより速く凹部に入り込むことができ、遊技球払出装置１０９による払い出しをより高速化することができる。また、本実施例のカム１０９ｇ、１０９ｈは一方向のみに回転するので、このような高速払出に適したカム形状にすることができる。なお、本実施例の遊技球払出装置１０９は、４秒間当たり１６０個（１秒当たり４０個）の払出速度で遊技球を払い出すことができるように構成されている。
【００９０】
カム１０９ｇ、１０９ｈの回転軸は、遊技球通路１０９ａ、１０９ｂにおける入口部の延長線上に設けられている。すなわち、上述のケースレール１０８の垂直部１０８ｂの延長線上にカム１０９ｇ、１０９ｈの回転軸が位置する。このような構成により、遊技球払出装置１０９の停止中にケースレール１０８内に存在する遊技球の球圧（自重）でカム１０８が回転してしまうのを防ぐことができる。また、２列の遊技球通路１０９ａ、１０９ｂには、遊技球払出装置１０９で払い出した遊技球数を検知する払出センサ１０９ｊ、１０９ｋが設けられている。
【００９１】
ところで、遊技球払出装置１０９における払い出し高速化に伴い、カム１０９ｇ、１０９ｈが脱調することが考えられ、払出数の正確性に問題が生じる可能性がある。特に、カム１０９ｇ、１０９ｈが高速回転している状態から停止する際に脱調が発生しやすい。そこで、本実施例の遊技球払出装置１０９では、遊技球の払い出し終了前に払出モータ１０９ｆの回転速度を通常回転速度より遅い回転速度に一旦減速して所定個数の遊技球を払い出した後、払出モータ１０９ｆを停止するように構成されている。例えば最後の１球を払い出す前に、払出モータ１０９ｆの回転速度を例えば通常回転速度の半分の回転速度に減速し、最後の１球を払い出してから払出モータ１０９ｆを停止させる。これにより、払出モータ１０９ｆにかかる負荷が急激に変化するのを防止でき、払い出しの高速化に伴う脱調を防止できる。なお、「通常回転速度」とは、遊技球払出装置１０９が定常状態の払出速度（本例では４０個／秒）で遊技球を払い出す際の払出モータ１０９ｆの回転速度である。
【００９２】
また、カム１０９ｇ、１０９ｈが停止している状態から高速回転を開始する際にも脱調が発生しやすい。このため、本実施例の遊技球払出装置１０９では、遊技球の払い出し開始時に、払出モータ１０９ｆの回転速度を通常回転速度より遅い回転速度から回転開始して所定個数の遊技球を払い出した後、払出モータ１０９ｆを通常回転速度に加速するように構成されている。例えば最初の１球目を払い出す前に、払出モータ１０９ｆの回転速度を例えば通常回転速度の半分の回転速度で回転開始し、最初の１球を払い出してから払出モータ１０９ｆを通常回転速度に加速する。これによっても、払出モータ１０９ｆにかかる負荷が急激に変化するのを防止でき、払い出しの高速化に伴う脱調を防止できる。
【００９３】
図１５は、払出モータ１０９ｆの払出速度と払出停止時間との関係を示している。本実施例の遊技球払出装置１０９には、遊技球払出中に払い出しを定期的に停止する所定の払出停止時間が設けられている。具体的には、遊技球を所定個数（例えば１５個）払い出す毎に、所定の払出停止時間だけ払出モータ１０９ｆを停止する。この払出停止時間中に遊技球の球圧を上げることができ、結果として連続して払い出しを行う場合より払い出し速度を向上させることができる。
【００９４】
払出停止時間は、短すぎると球圧が上がらず、逆に長すぎると払出時間が全体として長くなるとともに、球圧が上がりすぎる。球圧が上がりすぎると球噛みが発生し、カム１０９ｇ、１０９ｈが回転不能となって正確な払い出しが行えなくなるおそれがある。このため本実施例では、払出速度が例えば１秒当たり４０個を超える領域で払い出し停止時間を設定している。具体的には、１５球を０．３秒で払い出した後、払出モータ１０９ｆを０．１秒間停止させる。
【００９５】
Ｂ．電子制御装置の構成  ：
Ｂ−１．全体構成  ：
次に、本実施例の遊技機１の電子制御装置について、図１６に基づいて説明する。図１６は、電子制御装置の概略構成を示すブロック図である。
【００９６】
図１６に示すように、電子制御装置は、主制御部２００と、その主制御部２００に接続された副制御部２３０、２６０および２８０とを含んで構成されている。副制御部は、賞球制御部（払出制御部）２３０、音ランプ制御部２６０および図柄制御部２８０などから構成される。主制御部２００は主制御基板２００ａを備え、副制御部２３０、２６０および２８０は、払出制御基板２３０ａ、音ランプ制御基板２６０ａおよび図柄制御基板２８０ａなど、各種の周辺制御基板をそれぞれ備えている。
【００９７】
主制御部２００は、各副制御部２３０、２６０、および２８０に処理内容を指示する指令信号（コマンドデータ）を送信し、各副制御部２３０、２６０、および２８０は指令信号に基づいて各種制御を行うように構成されている。
【００９８】
例えば、主制御部２００から払出制御部２３０には、賞球払出を指示する賞球指示信号、遊技開始許可を指示する遊技開始許可信号、各種発射制御コマンド等のコマンドが送信される。各種発射制御コマンドには、球送り許可・禁止、発射許可・禁止、遊技開始許可等が含まれている。
【００９９】
また、主制御部２００から音ランプ制御部２６０には、各種ランプ制御コマンドおよび各種音声制御コマンドが送信される。主制御部２００から図柄制御部２８０には、音ランプ制御部２６０を介して、本図柄の表示を指示する誘導図柄表示制御コマンド、１〜１６の入賞図柄の表示を指示する入賞図柄表示コマンド、すべての図柄表示の消灯を指示する入賞図柄消灯コマンド等の各種図柄制御コマンドが送信される。なお、疑似図柄の表示を指示する表示制御コマンドは、音ランプ制御部２６０から図柄制御知２８０に送信される。こうした動作を可能とするための主制御部２００の構成については、別図を用いて後述する。
【０１００】
各制御部２００、２３０、２６０、および２８０には、主電源１２９と接続された電源受電基板１２８から電源基板１２７と電源中継基板１２１とを介して電源が供給されている。また、電源立上げ時には、システムリセット信号が電源基板１２７および電源中継基板１２１を介して各制御部２００、２３０、２６０、および２８０に送信される。なお、本実施例の遊技機１は、電源断時に主制御部２００および払出制御部２３０に作動電圧を供給する図示しないバックアップ電源部（図示略）を備えており、電源断時にも主制御部２００および払出制御部２３０のＲＡＭデータが保持される。
【０１０１】
主制御部２００には、盤用外部端子基板２０１、１６連スイッチ中継基板２０２、誘導図柄作動ゲートスイッチ２０４、盤面中継基板２１０および遊技枠中継基板２２０が接続されている。
【０１０２】
盤用外部端子基板２０１には、図示しない外部の試験装置を接続するための試験信号端子が複数設けられている。これらの試験信号端子は、遊技機用として使用されるものであり、賞球信号、入球口入球信号、得点増加装置に係る入球口入球信号、役物作動口入球信号、特定入球口入球信号、誘導増加装置作動領域通過信号、誘導図柄に係るゲート通過信号、役物誘導装置に係るゲート通過信号、役物作動信号、得点増加装置作動信号、役物作動口開放信号、役物誘導装置作動信号、誘導図柄に係るゲート有効信号、役物誘導装置に係るゲート有効信号などの信号を試験装置に送出することができる。
【０１０３】
１６連スイッチ中継基板２０２には、１６連入球口２４の各入球口への入球を検知する１６連入球口検知スイッチ２０３が接続され、１６連入球口検知スイッチ２０３からの検知信号が主制御部２００に送信される。そして、１６連入球口検知スイッチ２０３からの検知信号により、１６番の入賞図柄に対応する入球口２４ａ（図８参照）への入球を検知した場合には得点増加装置の作動を開始する。誘導図柄作動ゲートスイッチ２０４は、遊技球が誘導図柄作動ゲート２９を通過したことを検出するものである。
【０１０４】
ここで、主制御部２００の構成について説明する。図１７は、主制御部２００の主制御基板２００ａに設けられたＣＰＵ４００の構成を示すブロック図である。図１７に示すように、ＣＰＵ４００は、ＣＰＵコア４０１、内蔵ＲＡＭ４０２（以下、単にＲＡＭともいう）、内蔵ＲＯＭ４０３（以下、単にＲＯＭともいう）、メモリ制御回路４０４、クロック発生器４０５、アドレスデコーダ４０６、ウォッチドッグタイマ４０７、カウンタ／タイマ４０８、パラレル入出力ポート４０９、リセット／割り込みコントローラ４１０、外部バスインターフェース４１１、および出力制御回路４１２などを備えている。
【０１０５】
ＣＰＵ４００は、ＲＯＭ４０３に格納された制御プログラムにより、ＲＡＭ４０２をワークエリアとして遊技機１全体の作動制御（遊技の基本進行制御）を司る。また、主制御部２００は、ＣＰＵ４００が主体となって、ＲＯＭ４０３に格納された当否判定プログラムにより当否判定を行う当否判定手段を構成している。なお、本実施例の主制御部２００の制御周期は４ｍｓに設定されている。
【０１０６】
また、ＲＡＭ４０２には、遊技機１で用いられる各種乱数の乱数カウンタが設定されている。本実施例で用いられる乱数には、当否判定用乱数、図柄表示用乱数等がある。当否判定用乱数は、遊技球が誘導図柄作動ゲート２９を通過した際に、役物誘導装置を作動させるか否かの判定（当否判定）に用いられる。予め当否判定用の当たり値が設定されており、遊技球が誘導図柄作動ゲート２９を通過したタイミングで取得された当否判定用乱数が、当たり値と一致する場合に当たりと判定される。図柄表示用乱数は、遊技球が誘導図柄作動ゲート２９を通過した際に、図柄表示装置３１で停止表示される誘導図柄を決定するために用いられる。
【０１０７】
さらに、ＲＡＭ４０２には、発射装置ユニットに送られた遊技球をカウントするための球送りカウンタと、発射装置ユニットで発射された遊技球をカウントするための発射カウンタと、１６連入球口２４、左入球口２６、右入球口２７、第１役物作動口３２、第２役物作動口３３に入球した遊技球をカウントするための入球カウンタとが設定されている。
【０１０８】
次に、盤面中継基板２１０を図１８に基づいて説明する。図１８は、盤面中継基板２１０に接続された各種遊技装置を示すブロック図である。盤面中継基板２１０は、遊技盤２０面に設けられた各種スイッチ等と主制御部２００との間で、スイッチ信号等を中継するものである。
【０１０９】
図１８に示すように、盤面中継基板２１０には、左入球口スイッチ２１１、役物作動口スイッチ２１２ａおよび２１２ｂ、作動領域スイッチ２１４、各種ソレノイド２１６、作動領域用用モータ２１７、第２役物誘導装置作動ゲートスイッチ２１８が接続されている。
【０１１０】
左右入球口スイッチ２１１ａおよび２１１ｂは、左入球口２６および右入球口２７の内部にそれぞれ設けられ、遊技球の入球を検知するものである。役物作動口スイッチ２１２ａおよび２１２ｂは、第１役物作動口３２および第２役物作動口３３の内部にそれぞれ設けられ、遊技球の入球を検知するものである。作動領域スイッチ２１４は、誘導増加装置作動領域４１ａへの遊技球の通過を検知するものである。また、第２役物誘導装置作動ゲートスイッチ２１８は、遊技球が第２役物誘導装置作動ゲート３０を通過したことを検出するものである。これらの遊技球検知スイッチや位置検知スイッチは、近接スイッチあるいはフォトセンサ等により構成することができる。
【０１１１】
各種ソレノイド２１６としては、第１役物作動口３２および第２役物作動口３３をそれぞれ開閉するものがあり、開放ソレノイドと閉鎖ソレノイドとから構成されている。作動領域用用モータ２１７は、振り分け装置３６の誘導増加装置作動領域４１ａを左右方向に往復運動させるものである。
【０１１２】
次に、遊技枠中継基板２２０を図１９に基づいて説明する。図１９は、遊技枠中継基板２２０に対する信号の入出力を示すブロック図である。遊技枠中継基板２２０は、主に中枠３に設けられた各種スイッチ等と主制御部２００との間で、スイッチ信号等を中継するものである。
【０１１３】
図１９に示すように、枠中継基板２２０には、発射球カウントスイッチ２２１、ファール球検出スイッチ２２２が接続されている。さらに枠中継基板２２０には、後述の球送り中継基板２５１を介して球送りカウントスイッチ２５４が接続されている。
【０１１４】
発射球カウントスイッチ２２１は、発射装置ユニットにて発射された遊技球を検知するものである。また、ファール球検出スイッチ２２２は、発射装置ユニットから発射された遊技球が遊技領域２１に到達しないで、下皿部６に戻ってきた遊技球を検知する。球送りカウントスイッチ２５４は、上皿部５から発射装置ユニットに送られた遊技球をカウントする。
【０１１５】
Ｂ−２．払出制御部の構成  ：
次に、払出制御部２３０の動作、すなわち払出動作について概要を説明する。図１６に示されているように、払出制御部２３０には、枠用外部端子基板１２２、スイッチ中継端子基板２３１、ＣＲ接続基板２３４、発射制御部２５０等が接続されている。スイッチ中継端子基板２３１には、タンク球切れスイッチ２３２、下皿満タンスイッチ２３３が接続されている。タンク球切れスイッチ２３２は、枠用外部端子基板１２２にも接続されている。
【０１１６】
タンク球切れスイッチ２３２は、賞球タンク１０５内の遊技球が球切れとなったことを検知する。タンク球切れスイッチ２３２の球切れ信号は、枠用外部端子基板１２２を介して外部の補給装置に送信され、補給装置から賞球タンク１０５に遊技球が補給される。下受け皿満タンスイッチ２３３は、下皿部６の下受け皿が満タン状態になったことを検知する。なお、払出制御部２３０の払出制御基板２３０ａは、上記図１７で示した主制御基板２００ａのＣＰＵ４００と同様の構成を有するＣＰＵを備えている０本実施例の払出制御部２３０の制御周期は、主制御部２００より短い１ｍｓに設定されている。
【０１１７】
払出制御部２３０を図２０に基づいてさらに説明する。図２０は、払出制御部２３０に対する信号の入出力を示すブロック図である。図２０に示すように、払出制御部２３０には、ＣＲ接続基板２３４を介してプリペイドカードユニット１３およびＣＲ表示基板２３５が接続されている。ＣＲ表示基板２３５には、貸球ボタン２３６と返却ボタン２３７が接続されている。ＣＲ表示基板２３５は、ＣＲユニット１３との間で貸球やカード残り数等の信号を入出力するための基板である。
【０１１８】
払出制御部２３０にてプリペイドカードユニット１３の未接続が検知された場合には、払出制御部２３０はエラーＬＥＤ表示部４ｈを赤色に点灯させ、発射装置ユニット１０による発射停止を行う。プリペイドカードユニット１３の未接続エラーは、払出制御部２３０にてプリペイドカードユニット１３の接続が検知された場合に解除される。なお、プリペイドカードユニット１３の未接続に関するエラー信号は、払出制御部２３０から主制御部２００に送信されない。
【０１１９】
また、払出制御部２３０には、払出ユニット中継端子板２３９を介して払出モータ１０９ｆおよび払出センサ１０９ｊ、１０９ｋが接続され、状態表示ＬＥＤ中継端子板２４０を介して賞球表示ＬＥＤ基板２４１およびエラー表示ＬＥＤ基板２４２が接続されている。払出センサ１０９ｊ、１０９ｋは、遊技球払出装置１０９で払い出された遊技球数を計数するものである。遊技球払出装置１０９で払い出される遊技球には、入賞に対して払い出す賞球と、遊技者に貸し出す貸球とが含まれている。
【０１２０】
賞球表示ＬＥＤ基板２４１およびエラー表示ＬＥＤ基板２４２は、それぞれ賞球表示ＬＥＤ表示部４ｇおよびエラーＬＥＤ表示部４ｈ（図１参照）に対応している。賞球表示ＬＥＤ基板２４１のＬＥＤは賞球獲得の際に点灯あるいは点滅し、エラーＬＥＤ基板２４２のＬＥＤはエラー発生の際に点灯あるいは点滅する。エラー表示ＬＥＤ基板２４２は複数種類のＬＥＤを備えており、エラーＬＥＤ表示部４ｈは複数種類のエラー報知を行うことができる。本実施例では、エラーＬＥＤ表示部４ｈは、エラー報知として赤色とオレンジ色に点灯・点滅可能に構成されている。
【０１２１】
ここで、払出制御部２３０とプリペイドカードユニット１３との問の信号について説明する。まず、遊技機１の電源が投入されると、払出制御部２３０はプリペイドカードユニット１３に遊技機動作信号（ＰＲＤＹ信号）を出力する。また、プリペイドカードユニット１３は、払出制御部２３０に電源信号（ＶＬ信号）を出力する。払出制御部２３０では、このＶＬ信号の入力状態に基づいてプリペイドカードユニット１３の接続あるいは未接続を判定する。払出制御部２３０にてプリペイドカードユニット１３の未接続が検知された場合には、払出制御部２３０はエラーＬＥＤ表示部４ｈを赤色に点灯させ、発射装置ユニット１０による発射停止を行う。プリペイドカードユニット１３の未接続エラーは、払出制御部２３０にてプリペイドカードユニット１３の接続が検知された場合に解除される。なお、プリペイドカードユニット１３の未接続に関するエラー信号は、払出制御部２３０から主制御部２００には送信されない。
【０１２２】
プリペイドカードユニット１３にてプリペイドカードがセットされ、貸球ボタン２３７が操作されると、プリペイドカードユニット１３は払出制御部２３０にカードユニットＲＥＡＤＹ信号（ＢＲＤＹ信号）を出力する。更に、この時点から所定の遅延時間経過後、プリペイドカードユニット１３は払出制御部２３０に貸出要求信号（ＢＲＱ信号）を出力する。そして、払出制御部２３０はプリペイドカードユニット１３に出力する貸出完了信号（ＥＸＳ信号）を立ち上げておき、上記貸出要求信号（ＢＲＱ信号）の立ち下がりを検出したら払出モータを作動させ、所定個数の貸球を遊技者に払い出す。払出制御部２３０は、貸球払出が完了したら、ＥＸＳ信号を立ち下げ、その後、プリペイドカードユニット１３からのＢＲＤＹ信号の立ち下がりを検出したら、貸球払出制御を終了する。
【０１２３】
本実施例の払出制御部２３０は、タンク球切れスイッチ２３２からの信号と払出センサ１０９ｊ、１０９ｋからの信号とに基づいて、ケースレール１０６内の球詰まりを検出する。具体的には、遊技球払出装置１０９の作動中に払出センサ１０９ｊ、１０９ｋで遊技球が検出されない場合で、かつ、タンク球切れスイッチ２３２にて球切れが検出されない場合は、ケースレール１０８で球詰まりが発生していると判断される。一方、遊技球払出装置１０９の作動中に払出センサ１０９ｊ、１０９ｋで遊技球が検出されない場合で、かつ、タンク球切れスイッチ２３２にて球切れが検出された場合は、賞球タンク１０５で球切れが発生していると判断される。
【０１２４】
払出センサ１０９ｊ、１０９ｋでの球詰まり検知は以下のように行う。まず、払出センサ１０９ｊ、１０９ｋにて遊技球を所定時間以上検知できない場合には、払出モータ１０９ｆを逆回転で数ステップ動作させた後、最低速にて正回転させる。その後所定時間経過しても払出センサ１０９ｊ、１０９ｋにて遊技球が検知できない場合には、払出制御部２３０はケースレール１０８で球詰まりエラーが発生したと判断し、賞球停止および貸球停止を行う。球詰まりエラーは、払出センサ１０９ｊ、１０９ｋにて遊技球が検知された場合に解除される。なお、球詰まりに関するエラー信号は、払出制御部２３０から主制御剖２００に送信される。
【０１２５】
ケースレール１０８で球詰まりが発生していると判断された際、２個の払出センサ１０９ｊ、１０９ｋの双方で遊技球が検出されない場合には、ケースレール１０８のすべての樋で球詰まりが発生し、遊技球の払い出しが不可能であると判断できる。一方、２個の牡出センサ１０９ｊ、１０９ｋのいずれかのみで遊技球が検出されない場合には、ケースレール１０８内のいずれかの樋のみで球詰まりが発生しており、残りの樋では遊技球の払い出しが可能であると判断できる。
【０１２６】
本実施例の遊技機１では、ケースレール１０８の球詰まりに対して複数段階のエラー状態を設定している。具体的には、複数のケースレール１０８のいずれかの樋のみで球詰まりが発生した場合を、遊技球払出装置１０９を停止させない第１のエラー状態（軽度のエラー）とし、複数のケースレール１０８のすべての樋で球詰まりが発生した場合を、遊技球払出装置１０９を停止させる第２のエラー状態（重度のエラー）としている。
【０１２７】
具体的には、第１のエラー状態となった場合、払出制御部２３０は、エラーＬＥＤ表示部４ｈにてオレンジ色に点灯する第１のエラー報知を行って遊技場従業員に警告を報知し、遊技球払出装置１０９による遊技球の払い出しを継続する。これにより、エラー報知にて遊技場従業員に復旧を促すとともに、遊技場従業員が来るまでの間はケースレール１０８の球詰まりしていない樋により遊技球の払い出しを継続できる。一方、第２のエラー状態となった場合、払出制御部２３０は、エラーＬＥＤ表示部４ｈを赤色に点灯する第２Ｃエラー報知を行って遊技場従業員に異常を報知し、遊技球払出装置１０９を停止させる。
【０１２８】
払出センサ１０９ｊ、１０９ｋにて遊技球が所定時間（本例では１秒）以上検知された場合には、払出制御部２３０は遊技球払出装置１０９に異常が発生したと判断し、エラーＬＥＤ表示部４ｈを赤色に点灯させ、賞球停止および貸球停止を行う。払出装置異常エラーは、払出センサ１０９ｊ、１０９ｋにて遊技球を所定時間（本例では１秒）以上検知されなかった場合に解除される。なお、遊技球払出装置１０９の異常に関するエラー信号は、払出制御部２３０から後述の主制御部２００に送信される。
【０１２９】
図２１は、払出センサ１０９ｊ、１０９ｋから出力される信号の流れを示している。図２１に示すように、払出センサ１０９ｊ、１０９ｋからの信号が払出制御部２３０に入力する。払出制御装置２３０では、払出センサ１０９ｊ、１０９ｋからの信号に基づいて遊技球払出装置１０９における払出数を計数する。上述のように、遊技球払出装置１０９での払出数には賞球数と貸球数が含まれている。このうち賞球数は主制御部２００にて計数する必要があるので、賞球数に関する信号のみが払出制御部２３０から主制御部２００に送信される。
【０１３０】
払出制御部２３０は、主制御部２００からの賞球払出指令、あるいはプリペイドカードユニット１３からの貸出要求信号（ＢＲＱ信号）に応じて、遊技球を払い出すように構成されている。したがって、払出制御部２３０では、現在払い出している遊技球が賞球用か貸球用なのかを判別可能である。そこで、払出センサ１０９ｊ、１０９ｋからの信号が賞球数である場合には、払出制御部２３０から主制御部２００に払出個数分のパルス信号を送信する。なお、主制御部２００では貸球数を知る必要がないので、払出センサ１０９ｊ、１０９ｋからの信号が貸球数の場合には、払出制御部２３０から主制御部２００に信号を送信しない。
【０１３１】
払出センサ１０９ｊ、１０９ｋからの信号が賞球数である場合には、払出制御基板２３０ａのＣＰＵから主制御基板２００ａのＣＰＵ４００のカウンタに、賞球数に対応するパルス信号をソフトウェアによって出力する。主制御部２００のＣＰＵ４００の読み取り動作は４ｍｓ毎に行われるので、払出制御部２３０からのパルス信号の出力間隔を主制御部２００のＣＰＵ４００の読み取り間隔より長く（４ｍｓ以上）する必要がある。本実施例では、払出制御部２３０から送信する１球毎のパルス信号の出力間隔を１０ｍｓとしている。なお、本実施例の払出モータ１０９ｆは、４秒当たり１６０個の払出速度なので、１個払い出すのに２５ｍｓを要する。
【０１３２】
また、主制御部２００のＣＰＵ４００のカウンタに入力するように構成したことで、払出制御部２３０から主制御部２００に送信するパルス信号にノイズが混じり、主制御部２００が賞球数を誤検知するおそれがある。そこで、払出制御部２３０は、賞球数１個に対して複数のパルス信号を出力するように構成されている。本実施例の払出制御部２３０では、１球につき３パルス出力する。主制御部２００にて４ｍｓ毎に払出制御部２３０から送信されるパルスを読み取った際、３パルスで１球とカウントする。
【０１３３】
図２２（ａ）〜（ｄ）は、払出制御部２３０から主制御部２００に送信されるパルス信号を示している。図２２（ａ）に示すように、仮にノイズが１パルス分発生して合計４パルスになったとしても、１パルス分をノイズと判断して１球とカウントすることができる。
【０１３４】
なお、１球当たりのパルス数をさらに増加させることで、主制御部２００における検出精度をより向上させることができる。すなわち、払い出しがなくノイズが３パルス分発生した場合には、主制御部２００では１球と判断してしまうが、例えば１球当たりのパルス数をより多く設定すれば（例えば１球当たり１０パルス）、このような誤検知を回避できる。
【０１３５】
また、主制御部２００の読み取り間隔内で賞球パルス信号に加えてノイズが３パルス分発生した場合には合計６パルスとなり、２球と誤検知することが考えられる。しかしながら、上記のように払出制御部２３０から送信されるパルス信号の出力間隔は１０ｍｓに設定されているので（図２２（ｂ）参照）、１０ｍｓ当たり３パルス以上であっても、３パルスを超える分はノイズと判断して、１球しかカウントしない。
【０１３６】
また、図２２（ｃ）に示すように、１球分の３パルスを送信している途中で主制御部２００のＣＰＵ４００がカウンタの値を読み込んだ場合、３未満であるので、パルス送信の途中であると判断して何もせず戻る。４ｍｓ後に再度カウンタの値を読み込んだ際に３以上であれば、１球と判断してカウンタをクリアする。
【０１３７】
また、図２２（ｄ）に示すように、１回目のカウンタ値の読み込みが３未満であり、かつ、２回目の読み込みでも１回目の値と同じであれば、ノイズと判断してカウンタをクリアする。
【０１３８】
主制御部２００から払出制御部２３０に賞球コマンドが送信された後、所定時間経過しても払い出された賞球数が要求した賞球数に不足している場合、主制御部２００から払出制御部２３０に賞球不足コマンドが送信される。この場合には、払出制御部２３０は賞球不足エラーとしてエラーＬＥＤ表示部４ｈを赤色に点滅させ、遊技球払出装置１０９による遊技球の払い出し動作は継続する。賞球不足エラーは、賞球が終了しないと次のゲームに移行できないアレンジボール遊技機に特有のエラーであるため、他のエラーと区別してエラー報知を行う。具体的には、他のエラー発生時はエラーＬＥＤ表示部４ｈを点灯させるのに対して、賞球不足エラー発生時にはエラーＬＥＤ表示部４ｈを点滅させる。払い出された賞球数が要求した賞球数に達した場合に、主制御部２００より賞球不足解除コマンドが払出制御部２３０に送信され、賞球不足エラーが解除される。
【０１３９】
次に、主制御基板２００ａと払出制御基板２３０ａを接続するコネクタの接続確認について図２３に基づいて説明する。図２３は、払出制御基板２３０ａにおけるコネクタの接続確認を説明するための概念図である。主制御基板２００ａと払出制御基板２３０ａとは、両端にコネクタ２００ｅ、２３０ｅを有するハーネスを介して接続されている。ハーネスの両端にはコネクタ（図示略）が設けられている。
【０１４０】
図２３に示すように、主制御基板２００ａにはコネクタ受部２００ｃが設けられ、払出制御基板２３０ａには、コネクタ受部２３０ｃと負論理のＡＮＤ回路２３０ｄとが設けられている。コネクタ受部２００ｃ、２３０ｃには、ハーネスの端部に設けられたハーネス側コネクタ２００ｅ、２３０ｅが挿入して接続される。
【０１４１】
ここで、コネクタ受部２００ｃ、２３０ｃの端子数が多いとコネクタ挿入時に斜め挿入が起こりやすくなる。この結果、接続されていない端子が生じて誤作動の原因となる。このような斜め挿入の場合、コネクタ受部２００ｃ、２３０ｃの両端の端子のいずれかが未接続となる。そこで、本実施例では、コネクタ受部２３０ｃの両端に設けられたピン（端子）を接続確認用の信号線として用いている。ＡＮＤ回路２３０ｄは、コネクタ受部２３０ｃの両端の接続確認用端子からの信号を負論理で入力し、それらの信号の論理積をとってＣＰＵ２３０ｂに信号を負論理で出力する。ＣＰＵ２３０ｂはＡＮＤ回路２３０ｄからの信号の入力状態によりコネクタの接続状態を判断する。
【０１４２】
コネクタ受部２３０ｃの接続確認用端子からの信号は、ハーネスが接続された状態ではＬｏｗとし、ハーネスが接続されてない状態ではＨｉｇｈとしている。したがって、コネクタ受部２３０ｃの両端の接続確認用端子が両方とも接続されている場合にはＡＮＤ回路２３０ｄの出力はＬｏｗとなり、一方でも接続されていない場合にはＡＮＤ回路２３０ｄの出力はＨｉｇｈとなる。そして、ＡＮＤ回路２３０ｄの出力がＨｉｇｈの場合には、ＣＰＵ２３０ｂは接続確認用端子の少なくとも一方が未接続であると判断する。この判断に基づいてＣＰＵ２３０ｂは、エラー表示部４ｈを赤色に点灯させ、接続エラー報知を行う。
【０１４３】
本実施例のようにコネクタ２３０ｃの両端の端子を接続確認用の信号線とし、これらの信号を用いてＡＮＤ回路２３０ｄで負論理の論理積をとることで、コネクタ２３０ｃの接続確認を払出制御部２３０において容易に行うことができ、主制御部２００と払出制御部２３０との接続を確実にすることができる。この払出制御部２３０における接続確認は、例えば遊技機１を遊技店に設置するとき、電源投入時あるいは電源投入後であって遊技者が遊技を行っていない時等に行うことができる。
【０１４４】
Ｂ−３．発射制御部の構成  ：
次に、発射制御部２５０の動作、すなわち遊技球の発射動作について説明する。図２４は、発射制御部２５０に接続された各種遊技装置を示すブロック図である。図２４に示すように、発射制御部２５０には、発射ハンドル８、原点センサ２５１、発射モータ２５２、球送り中継端子板２５３等が接続されている。発射ハンドル８から発射制御部２５０には、遊技者が発射ハンドル８を所定量以上回転させたかどうかを示す発射スタートスイッチ１０ｊ（図５、図６参照）からの発射スタート信号、遊技者が発射ハンドル８に触れているかどうかを示すタッチスイッチ８ａからのタッチ信号等が入力する。
【０１４５】
上述のように、発射停止スイッチ８ｂはタッチスイッチ８ａと直列的に接続されており、発射停止スイッチ８ｂのオン／オフはタッチ信号として出力される。遊技者がタッチスイッチ８ａに触れていて、かつ、発射停止スイッチ８ｂが押されていない場合に、タッチ信号がオンになる。遊技者がタッチスイッチ８ａに触れていないか、あるいは発射停止スイッチ８ｂを押した場合に、タッチ信号がオフになる。
【０１４６】
原点センサ２５１は、発射モータ２５２の回転軸が所定の原点位置（原点角度）にあるかどうかを検知するものである。発射モータ２５２は、発射位置に送り込まれた遊技球を遊技領域２１に打ち込むための槌１０ａを稼働させるものであり、遊技者が発射ハンドル８を操作することにより作動する。本実施例では、発射モータ２５２の駆動パルス信号の周波数を固定値とし、発射モータ２５２の回転周期、すなわち１回転に要する時間を固定値（本例では５００ｍｓ）としている。
【０１４７】
球送り中継端子板２５３には、上皿部５に貯留された遊技球を１個ずつ発射装置ユニットの発射位置に送り込むための球送りソレノイド１２ａ、球送りカウントスイッチ２５４が接続されている。上述のように、球送りカウントスイッチ２５４からの信号は遊技枠中継基板２２０を介して主制御部２００に送信される。
【０１４８】
上記原点センサ２５１の信号は、発射制御部２５０を介して、払出制御部２３０に送信される。払出制御部２３０は、原点センサ２５１にて原点が検出された場合に、上記球送り許可信号を所定期間（本例では６０ｍｓ）だけ許可状態（Ｌ出力）にするように構成されている。
【０１４９】
図２５は、発射制御部２５０の回路構成を示している。図２５に示すように、発射制御部２５０には、払出制御部２３０から球送り許可信号および発射許可信号が入力し、発射ハンドル８からタッチ信号および発射スタート信号が入力する。さらに、発射制御部２５０には払出制御部２３０のＣＰＵに設けられたクロック発生器（図示せず）からのクロック信号が入力する。また、発射制御部２５０は、３つのＡＮＤ回路２５０ａ、２５０ｂ、２５０ｃ、フリップフロップ２５０ｄ、分周回路２５０ｅ、モータ駆動回路２５０ｆを備えている。
【０１５０】
第１ＡＮＤ回路２５０ａは、発射許可信号とフリップフロップ２５０ｄからの信号（発射条件成立信号）を入力とし、発射モータ２５２を駆動するモータ駆動回路２５０ｆに信号を出力する。第２ＡＮＤ回路２５０ｂは、球送り許可信号とフリップフロップ２５０ｄからの信号（発射条件成立信号）を入力とし、球送りソレノイド１２ａに信号を出力する。第３ＡＮＤ回路２５０ｃは、タッチ信号と発射スタート信号を入力とし、フリップフロップ２５０ｄに信号を出力する。分周回路２５０ｅは、所定のクロック周波数を分周して所望のパルス幅の基準クロック信号を生成し、この基準クロック信号をフリップフロップ２５０ｄに出力する。モータ駆動回路２５０ｆは、第１ＡＮＤ回路２５０ａからの信号がＨｉｇｈになった場合に、発射モータ２５２に所定周波数のパルス信号を出力する。
【０１５１】
発射許可信号は、発射許可時にはＬｏｗ出力（オフ）であり、発射禁止時にはＨｉｇｈ出力（オン）であり、それぞれインバータにて反転された後、第１ＡＮＤ回路２５０ａに入力する。したがって、第１ＡＮＤ回路２５０ａに入力する発射許可信号は、発射許可時にはＨｉｇｈとなり、発射禁止時にはＬｏｗとなる。同様に、球送り許可信号は、球送り許可時にはＬｏｗ出力（オフ）であり、球送り禁止時にはＨｉｇｈ出力（オン）であり、それぞれインバータにて反転された後、第２ＡＮＤ回路２５０ｂに入力する。したがって、第２ＡＮＤ回路２５０ｂに入力する球送り許可信号は、球送り許可時にはＨｉｇｈとなり、球送り禁止時にはＬｏｗとなる。
【０１５２】
発射許可時および球送り許可時において、遊技者が発射ハンドル８を操作していない場合には、フリップフロップ２５０ｄの出力信号はＬｏｗなので、第１、第２ＡＮＤ回路２５０ａ、２５０ｂの出力信号もＬｏｗとなる。ここで、遊技者が発射ハンドル８に触れるとともに、所定角度以上回転させることで、タッチ信号および発射スタート信号がＨｉｇｈとなり、第３ＡＮＤ回路２５０ｃの出力がＨｉｇｈとなり、この信号がフリップフロップ２５０ｄに入力される。フリップフロップ２５０ｄでは、第３ＡＮＤ回路２５０ｃからの入力信号がＨｉｇｈとなった場合、次の基準クロック信号の立ち上がり（Ｌｏｗ−Ｈｉｇｈ）で、第１、第２ＡＮＤ回路２５０ａ、２５０ｂへの出力信号がＨｉｇｈとなる。これにより、第１、第２ＡＮＤ回路２５０ａ、２５０ｂの出力信号がＨｉｇｈとなり、発射モータ２５２および球送りソレノイド１２ａが作動を開始する。
【０１５３】
図２６は、発射制御部２５０における球送り許可信号と基準クロック信号との関係を示すタイミングチャートである。上述のように原点センサ２５１による原点確認後、球送り許可信号が所定時間（６０ｍｓ）だけイネーブル（Ｌｏｗ）、すなわち発射許可状態となる。球送りソレノイド１２ａを確実に作動させるためには、球送り許可信号がイネーブル（Ｌｏｗ）となっている間に基準クロック信号が立ち上がる必要がある。すなわち、上記分周回路２５０ｅにて生成する基準クロック信号のパルス幅は、球送り許可信号がイネーブル（Ｌｏｗ）となっている所定時間より短いことが必要である。
【０１５４】
図２６に示すように、本実施例では分周回路２５０ｅにて生成する基準クロック信号のパルス幅を１ｍｓとしている。このように、分周回路２５０ｅにて生成する基準クロック信号のパルス幅を、球送り許可信号がイネーブル（Ｌｏｗ）となっている所定時間より短く設定することで、確実に球送り処理を行うことができ、確実に遊技球を発射することができる。また、基準クロック信号のパルス幅が小さい方が、発射許可信号がイネーブル（Ｈｉｇｈ−Ｌｏｗ）になってから球送りソレノイド１２ａが作動開始するまでの間隔が短くなり、球送り処理を迅速に行うことができる。
【０１５５】
Ｂ−４．音ランプ制御部の構成  ：
次に、音ランプ制御部２６０を図２７に基づいて説明する。図２７は、音ランプ制御部２６０に接続された各種遊技装置を示すブロック図である。音ランプ制御部２６０に設けられた音ランプ制御基板２６０ａには、ＣＰＵ、ＲＯＭ、ＲＡＭ、入出力ポート等を有する演算回路構成要素（図示略）とサウンドジェネレータ（図示略）が設けられており、入出力ポートにおいて主制御部２００に接続されている。
【０１５６】
図２７に示すように、音ランプ制御部２６０には、ランプインターフェース基板２６１を介して、１６連入球口ＬＥＤ基板２６２、各種盤面ＬＥＤ基板２６３、各種遊技枠部ＬＥＤ基板２６４等が接続されている。ランプインターフェース基板２６１は、各種ランプ類の駆動回路が搭載されており、音ランプ制御基板２６０ａから独立した別基板として構成されている。
【０１５７】
１６連入球口ＬＥＤ基板２６２は、１６連入球口２４のいずれかに入球した際に、対応する１６連入球口ＬＥＤ表示部２５のＬＥＤを点灯させるためのものである。盤面ＬＥＤ基板２６３および遊技枠ＬＥＤ基板２６４には、遊技効果ＬＥＤ基板等が接続されている。これらのランプ類はゲームの進行に対応して点灯・消灯又は点滅し、遊技効果を高めている。
【０１５８】
さらに、音ランプ制御部２６０にはアンプ基板２６５が接続されている。アンプ基板２６５にはスピーカ２６６および音量スイッチ基板２６７が接続されている。スピーカ２６６からは、遊技の進行に対応して各種サウンド、音声等が出力される。音量スイッチ基板２６７は、図示しない音量スイッチの操作に従ってスピーカ２６６の出力音量の設定を行うものである。また、音ランプ制御基板２６０には、モード切替スイッチ２６８が設けられている。モード切替スイッチ２６８はディップスイッチとして構成されており、電源投入時に遊技場従業員が操作する。モード切替スイッチ２６８により、図柄表示装置３１における背景や出現するキャラクタの変更等を行うことができる。
【０１５９】
Ｂ−５．図柄制御部の構成  ：
次に、図柄制御部２８０を図２８に基づいて説明する。図２８は、図柄制御部２８０に接続された各種遊技装置を示すブロック図である。図柄制御部２８０に設けられた図柄制御基板２８０ａには、ＣＰＵ、ＲＡＭ、ＲＯＭ、入出力ポート、ＶＤＰ（ビデオディスプレイプロセッサ）等を有する演算回路構成要素（図示略）が設けられ、入出力ポートにおいて主制御部２００に接続されている。
【０１６０】
図２８に示すように、図柄制御部２８０には、図柄表示装置３１を作動させる図柄表示装置基板２８１が接続されている。図柄制御部２８０は、ＣＰＵがＲＯＭに格納された制御プログラムに従ってＲＡＭをワークエリアとして使用することにより、図柄表示装置３１の表示制御を行う。また、図柄制御部２８０には、図示しない外部の試験装置を接続するための図示しない試験信号端子が複数設けられている。これらの試験信号端子は、誘導図柄用として使用されるものであり、図柄変動中信号などの信号を試験装置に送出することができる。
【０１６１】
図２９は、図柄制御に関するコマンドの流れを示すブロック図である。図２９に示すように、図柄制御に関するコマンドには、共通コマンドと図柄制御コマンドとがある。共通コマンドは、本図柄表示部３１ａで表示される本図柄の表示制御コマンドを含んでおり、主制御部２００から音ランプ制御部２６０に送信される。音ランプ制御部２６０は、共通コマンドを受け取ると、そのまま図柄制御部２８０に送信する。図柄制御コマンドは、疑似図柄表示部３１ｂで表示される疑似図柄の表示制御コマンドを含んでおり、音ランプ制御部２６０が主制御部２００から受け取った共通コマンドに基づいて図柄制御部２８０に送信する。
【０１６２】
Ｂ−６．遊技確認時間  ：
電子制御装置に関する説明の最後に、遊技確認時間について説明しておく。図３０は、遊技確認時間について説明するための説明図である。本実施例の遊技機１では、ゲームとゲームとの問に遊技確認時間（本例では１６ｍｓ）が設けられている。図３０は主制御部２００から外部検査装置に出力される遊技中信号の出力タイミングチャートであり、図３０（ａ）は電源投入時の状態を示し、また図３０（ｂ）は遊技中の状態を示している。
【０１６３】
電源投入時には、図３０（ａ）に示すように、電源投入から遊技の結果が得られるまで、主制御部２００から外部の検査装置に遊技中であることを示す遊技中信号が試験信号端子から出力される。次回のゲーム以降は、図３０（ｂ）に示すように、遊技確認時間終了後から次のゲームの遊技の結果が得られるまで遊技中信号が出力される。この遊技中信号が出力されていない時間が遊技確認時間となる。この遊技確認時間により、外部検査装置側で１ゲームの開始および終了を明確に把握することが可能となる。
【０１６４】
また、遊技確認時間は、前のゲームにおける所定個数（例えば１５個）の遊技球すべてが複数の入球口（例えば、１６連入球口２４、第１役物作動口３２、第２役物作動口３３、左入球口２６、誘導増加装置作動領域４１ａ、排出口）へ入球・通過した後、後述の２秒間（一定時間）のインターバル時間の経過後または／および前述の０．５秒の入賞図柄確認時間の経過後において、遊技の結果が得られた際に設定される。このため、所定個数の遊技球の上記各入球口等への入球・通過以外に遊技機１に備えられた各遊技装置（例えば、遊技球払出装置１０９、役物誘導装置、誘導増加装置等）の作動・非作動状況をも明確化して１ゲームの区切りを完全に明確化できる。
【０１６５】
また、本実施例の遊技機１では、１ゲームにおいて所定個数の遊技球すべての発射が行われた後、次のゲームに進む前に所定のインターバル時間（例えば２秒）が設けられている。主制御部２００は、発射球カウントスイッチ２２１により１５個すべての遊技球が発射されたことを検出すると、インターバル機能を開始する。主制御部２００は、インターバル機能の開始により払出制御部２３０に発射禁止コマンドを送信する。これにより、払出制御部２３０から発射制御部２５０への発射許可信号がオフとなり、発射制御部２５０は発射モータ２５２の動作を禁止する。この結果、インターバル機能作動中は発射装置ユニット１０が停止する。インターバル機能は作動を開始してから２秒後に停止し、インターバル時間が終了する。
【０１６６】
Ｃ．遊技球発射制御の概要  ：
次に、図３１〜図３５を参照しながら、発射制御部２５０による遊技球の発射制御について説明する。
【０１６７】
図３１は、電源オン時における発射制御を示すタイミングチャートである。図３１に示すように、電源オンにより、発射強制信号および発射許可信号がイネーブル（Ｌｏｗ）となる。このとき、遊技者が発射ハンドル８を操作開始すると、タッチスイッチ８ａからの信号がＨｉｇｈとなり、発射モータ２５２が回転して槌１０ａが振り出され、遊技球の球送り処理がされていない状態で空打ちを１回行う。そして、原点センサ２５１による原点確認後、球送り処理を行う。なお、電源投入時に発射位置に遊技球が予め存在している場合には、上記空打ちで遊技球を発射してしまうが、これは発射球としてカウントしない。
【０１６８】
発射モータ２５２の原点は、上述のように槌１０ａの振り出される所定の発射角度から所定角度（例えば１５〜２００）だけ回転した位置と定められている。従って、本実施例のように電源投入後に一度だけ空打ちを行うことで、原点確認を行うことができ、確実な球送り処理を行うことができる。
【０１６９】
具体的には、原点センサ信号の立ち下がりを検出すると、球送り許可信号が６０ｍｓだけイネーブル（Ｌｏｗ）となり、球送りソレノイド１２ａが作動する。球送りソレノイド１２ａの作動終了とともに、発射強制信号をディセーブル（Ｈｉｇｈ）とする。遊技球は、球送りカウントスイッチ２５４を通過して発射装置ユニット１０の発射位置（発射球カウントスイッチ２２１）に送られる。そして、発射モータ２５２の回転により槌１０ａが回転し、遊技球が発射される。上述のように本実施例では、発射モータ２５２が１回転するのに要する時間、すなわち遊技球の発射間隔（発射周期）を５００ｍｓと設定している。したがって、１ゲームに１５球の遊技球を発射するものとすれば、本実施例において１ゲーム終了に要する最短時間は、５００ｍｓ×１５発＋インターバル時間（２秒）＝９．５秒となる。
【０１７０】
図３２は、連続動作中における発射制御を示すタイミングチャートである。図３２に示すように、遊技者が発射ハンドル８を操作することにより、発射モータ２５２が連続的に回転し、原点検出、球送り処理、遊技球発射が連続的に行われる。
【０１７１】
図３３は、発射を中断した場合の発射制御を示すタイミングチャートである。図３３に示すように、遊技者が発射ハンドル８から手を離すとタッチセンサ信号がＬｏｗとなり、遊技球の発射後、次の原点が検出された時点で発射モータ作動信号がＬｏｗとなって発射モータ２５２が停止する。これにより、遊技球の発射が中断される。
【０１７２】
図３４は、発射を再開する場合の発射制御を示すタイミングチャートである。図３４に示すように、遊技者が発射ハンドル８を操作することにより、球送り許可信号が６０ｍｓだけイネーブル（Ｌｏｗ）となり、球送りソレノイド１２ａが作動する。球送り許可信号の立ち下がりにより発射モータ２５２が作動開始し、遊技球発射が再開される。再開１球目の発射以降は、原点検出により球送り処理が行われる。
【０１７３】
図３５は、所定個数の遊技球を全て発射終了した場合の発射制御を示すタイミングチャートである。図３５に示すように、遊技球の発射数が所定個数（例えば１５個）に達した場合、原点が現れたところ、すなわち原点センサ信号の立ち下がりで発射許可信号をディセーブル（Ｈｉｇｈ）にする。これにより、遊技球の発射が終了する。
【０１７４】
発射モータ２５２の動作後、所定時間経過しても原点センサ２５１にて原点が検知できない場合、あるいは、発射モータ２５２の動作後、所定時間以上原点センサ２５１による原点の検知が続いた場合には、払出制御部２３０は発射装置ユニット１０で異常が発生したと判断し、エラーＬＥＤ表示部４ｈを赤色に点灯させ、発射装置ユニット１０による発射停止を行う。発射装置ユニット１０の異常エラーは、原点センサ２５１にて原点が検知できない場合には原点が検知できたとき、原点センサ２５１にて原点を検知し続けた場合には原点を検知しなくなったときに解除される。なお、発射装置ユニット１０の異常に関するエラー信号は、払出制御部２３０から後述の主制御部２００に送信される。
【０１７５】
Ｄ．パチンコ機全体の制御の概要  ：
Ｄ−１．メインジョブの概要  ：
次に、本実施例の遊技機１の制御の概要について、図３６〜図４８のフローチャートに基づいて説明する。図３６は、主制御部２００のＲＯＭに格納されたプログラムに基づいてＣＰＵ４００が実行するメインジョブの一例を示している。図３６に示すメインジョブは、電源投入処理Ｓｌ００を実行した後、遊技開始処理Ｓ２００、ゲーム管理処理Ｓ３００、入賞図柄処理Ｓ４００、役物処理Ｓ５００、得点増加装置処理Ｓ６００、誘導増加装置処理Ｓ７００、誘導図柄および役物誘導装置処理Ｓ８００、第２役物誘導装置処理Ｓ８５０の各ステップが、タイマによって割込が発生する毎に繰り返し実行される。なお、本実施例では、タイマが発生する割込周期は４ｍｓに設定されている。
【０１７６】
Ｄ−２．電源投入処理  ：
電源投入処理Ｓ１００を図３７のフローチャートに基づいて説明する。この電源投入処理は、電源投入時と電源断発生後の復電時に行われるものである。まず、電源投入時に必要な各種設定を行う（Ｓ１０１）。具体的には、スタックポインタをＲＡＭの所定アドレスに設定し、割り込みモードの設定を行い、ＲＡＭのアクセスを許可する。
【０１７７】
次に、ＲＡＭクリアスイッチが押されている場合、あるいは、ＲＡＭにバックアップフラグ（電源断の発生情報）が設定されていない場合には、電源投入時と判定してＲＡＭ初期化処理を行い、その後リターンする（Ｓ１０２、Ｓ１０３、Ｓ１０４）。ＲＡＭ初期化処理としては、ＣＰＵ周辺の内蔵デバイスの初期設定を行い、ＲＡＭの全領域を０クリアし、通常遊技中の初期値を設定し、割り込みを許可する。また、ゲーム開始フラグを設定する。
【０１７８】
一方、ＲＡＭにバックアップフラグが設定されている場合には電源断復帰時と判断し、電源断時に保護したＲＡＭの内容からチェックサムを算出して（Ｓｌ０５）、電源断時に作成、保存したチェックサムの内容と比較する（Ｓｌ０６）。これらのチェックサムが一致しない場合にはＲＡＭの内容が壊れていると判定し、上記Ｓｌ０４のＲＡＭ初期化処理を行う。
【０１７９】
一方、ＲＡＭの内容が正常にバックアップされている場合には、以下の復電時の処理を行う（Ｓ１０７）。まず、電源断直前のスタックポインタを復帰し、バックアップフラグをクリアする。次に、電源断時の遊技状態に復帰させるための復帰設定を行い、ＣＰＵ周辺デバイスの初期設定を行い、レジスタを電源断直前の状態に戻す。その後、電源断直前のプログラム実行位置に戻ってプログラムを再開する。
【０１８０】
Ｄ−３．遊技開始処理  ：
次に、遊技開始処理Ｓ２００を図３８のフローチャートに基づいて説明する。まず、主制御部２００に接続されているＲＡＭクリアスイッチ以外のすべてのスイッチを読み込み（Ｓ２０１）、各々のスイッチ状態を判定して検出情報を保存する（Ｓ２０２）。
【０１８１】
次に、当否判定用乱数、図柄表示用乱数等の各種乱数の更新を行う（Ｓ２０３）。具体的には、上述のＲＡＭに設定された乱数カウンタの値を、初期値（例えば０）から所定値（例えば２５５）の間で１ずつ加算する。乱数カウンタの値が所定値を超える場合には初期値に戻る。
【０１８２】
次に、Ｓ２０４〜Ｓ２１２の賞球制御を行う。まず、１６連入球口スイッチ２０４により１６連入球口２４の各入球口をチェックし、遊技球が１６連入球口２４に入球して入賞となる組合せが得られた場合には、該当する得点情報をＲＡＭに保存する（Ｓ２０４、Ｓ２０５）。次に、ケースレール球切れスイッチ１０８および下受け皿満タンスイッチ２２４により、球切れまたは満タン状態を判定する（Ｓ２０６）。
【０１８３】
球切れ又は満タン状態で賞球停止状態でない場合には、払出制御部２３０に払出不可指定コマンドを送信する（Ｓ２０７、Ｓ２０８）。球切れまたは満タン状態でなく賞球停止状態の場合には、払出制御部２３０に払出可指定コマンドを送信する（Ｓ２０９、Ｓ２１０）。保存した得点情報がある場合には、払出制御部２３０に得点に応じた賞球コマンドを送信する（Ｓ２１１、Ｓ２１２）。
【０１８４】
Ｄ−４．ゲーム管理処理  ：
次に、ゲーム管理処理Ｓ３００を図３９のフローチャートに基づいて説明する。まず、ゲーム開始フラグによりゲーム開始時か否かを判定する（Ｓ３０１）。この結果、ゲーム開始時であると判定された場合は（Ｓ３０１：ｙｅｓ）、ゲーム開始時の設定処理を行う（Ｓ３０００）。ゲーム開始時の設定処理では、ゲームを行うにあたって必要な各種のフラグを確認したり、あるいはフラグやタイマを設定する処理を行う。
【０１８５】
一方、ゲーム開始時でない場合には（Ｓ３０１：ｎｏ）、まず、球送りカウントスイッチ２５４により球送りの監視を行う（Ｓ３０３）。球送りカウントスイッチ２５４がオンの場合には、球送りカウンタを１加算する。球送りカウンタが１５以上になった場合には、払出制御部２３０に球送り禁止コマンドを送信し、球送りを終了する。次に、発射球カウントスイッチ２２２により発射球の監視を行う（Ｓ３０４）。発射球カウントスイッチ２２２がオンの場合には、発射カウンタを１加算する。発射カウンタが所定数（例えば１５）以上になった場合には、払出制御部２３０に発射禁止コマンドを送信して、全ての遊技球を発射完了とする。
【０１８６】
次に、ファール球検出スイッチ２２３によりファール球の監視を行う（Ｓ３０５）。具体的には、ファール球検出スイッチ２２３がオンの場合には、球送りカウンタおよび発射カウンタを１減算する。
【０１８７】
次に、１６連入球口スイッチ２０４により入球の監視を行う（Ｓ３０６）。１６連入球口スイッチ２０４により１６連入球口２４の各入球口をチェックし、遊技球が１６連入球口２４に入球した場合には入球カウンタを１加算し、入球カウンタが所定数（例えば１５）以上となった場合には全ての遊技球の入球が完了とする。
【０１８８】
次に、Ｓ３０７〜Ｓ３１４のゲーム終了チェック処理を行う。まず、遊技の結果が得られたか否か、すなわち１ゲームが終了したか否かを判定する。遊技の結果は、以下のすべての要件を満たしている場合に得られる。
【０１８９】
すなわち、発射カウンタにより全ての遊技球が発射と判定され（Ｓ３０７）、インターバル時間が経過したと判定され（Ｓ３０８）、入球カウンタにより全ての遊技球が入球したと判定され（Ｓ３０９）、入賞図柄確認時間が経過したと判定され（Ｓ３１０）、誘導図柄表示部３１ａ、３１ｂの作動が終了したと判定され（Ｓ３１１）、第１役物作動口３２に入球した遊技球が誘導増加装置作動領域４１ａまたは排出口を通過したと判定され（Ｓ３１２）、獲得遊技球（賞球）の払出が完了したと判定された（Ｓ３１３）場合に遊技の結果が得られたと判定できる。
【０１９０】
この結果、遊技の結果が得られた、すなわち１ゲームが終了したと判定された場合には、ゲーム終了処理としてゲーム終了フラグを１にして、リターンする（Ｓ３１４）。上記要件のいずれかを満たさないと判定された場合には、そのままリターンする。なお、ゲーム終了フラグが１に設定されると遊技の結果が得られ、図３２で示した遊技中信号が１６ｍｓの間オフとなる。したがって、遊技確認時間が設定され、その時間の経過後、次のゲームが開始可能となる。
【０１９１】
Ｄ−５．入賞図柄処理  ：
次に、入賞図柄処理Ｓ４００を図４０のフローチャートに基づいて説明する。まず、ゲーム終了フラグにより遊技の結果が得られたか否か判定する（Ｓ４０１）。この結果、遊技の結果が得られたと判定された場合には、遊技終了時の設定として、図柄制御部２８０に入賞図柄消灯コマンドを送信し、音ランプ制御部２６０にＬＥＤ消灯コマンドを送信する〈Ｓ４０１、Ｓ４０２）。その後リターンする。これにより、１６連入賞口ＬＥＤ表示部２５のＬＥＤが消灯する。
【０１９２】
一方、遊技の結果が得られていないと判定された場合には、遊技中であるか否か判定し（Ｓ４０３）、入球カウンタにより全ての遊技球の入球が完了したか否か判定し（Ｓ４０４）、１６連入球口スイッチ２０４により１６連入球口２４の各入球口に入球があったか否か判定する（Ｓ４０５）。この結果、遊技中であって全遊技球が入球完了する前に入球口に入球があった場合には、図柄制御部２８０に各入球口に対応した入賞図柄表示コマンドを送信し、音ランプ制御部２６０にＬＥＤ表示コマンドを送信し、リターンする（Ｓ４０６）。それ以外の場合はそのままリターンする。これにより、対応する１６連入賞口ＬＥＤ表示部２５のＬＥＤが点灯する。
【０１９３】
Ｄ−６．役物遊技処理  ：
次に、役物遊技処理Ｓ５００を図４１のフローチャートに基づいて説明する。まず、遊技中か否か判定する（Ｓ５０１）。この結果、遊技中でない場合にはそのままリターンする。一方、遊技中である場合には、Ｓ５０２〜Ｓ５０７の第１役物処理を行う。まず、第１役物が作動中であるか否か判定する（Ｓ５０２）。この結果、第１役物が作動中でないと判定された場合には、第１役物作動処理を行う（Ｓ５０３、Ｓ５０４、Ｓ５０５）。具体的には、全ての遊技球が入球したか否かを入球カウンタによって判定し、役物作動口スイッチ２１２ａにより第１役物作動口３２に入球があったか否かを判定する。この結果、全遊技球の入球が完了していない状態で、第１役物作動口３２に入球があった場合には、第１役物の作動を開始し、後述の第２役物処理に移る。それ以外の場合には、そのまま第２役物処理に移る。第１役物の作動により、１２・１３・１５・１６番の入賞図柄が点灯表示される。
【０１９４】
一方、第１役物が作動中と判定された場合には、第１役物作動終了処理を行う（Ｓ５０６、Ｓ５０７）。具体的には、ゲーム終了フラグにより遊技の結果が得られたか否か判定する。この結果、遊技の結果が得られたと判定された場合には、第１役物の作動を終了して第２役物処理に移る。一方、遊技の結果が得られていないと判定された場合には、そのまま第２役物処理に移る。
【０１９５】
次に、Ｓ５０８〜Ｓ５１３の第２役物処理を行う。まず、第２役物が作動中であるか否か判定する（Ｓ５０８）。この結果、第２役物が作動中でないと判定された場合には、全ての遊技球が入球したか否か、更に遊技球が第２役物作動口に入球したか否かを判断する（Ｓ５０９、Ｓ５１０）。全遊技球の入球が完了しているか否かは、入球カウンタの値によって判定することができる。また、遊技球が第２役物作動口３３に入球したか否かについては、役物作動口スイッチ２１２ｂにより検出することができる。そして、全ての遊技球の入球が完了した場合や（Ｓ５０９：ｙｅｓ）、第２役物作動口に入球していない場合は（Ｓ５１０：ｎｏ）、そのまま役物遊技処理を終了して、図３６に示したメインジョブに復帰する。
【０１９６】
一方、全ての遊技球の入球が完了していないと判断され（Ｓ５０９：ｎｏ）、更に、遊技球が第２役物作動口に入球したと判断された場合は（Ｓ５１０：ｙｅｓ）、第２役物の作動を開始する（Ｓ５２０）。そして、第２役物が作動すると、１１番、１３番、１４番、１５番の入球口に入球したことと同様の効果が発生し、対応する入賞図柄が点灯表示される。
【０１９７】
一方、第２役物が作動中と判定された場合には、第２役物作動終了処理を行う（Ｓ５１２、Ｓ５１３）。具体的には、ゲーム終了フラグにより遊技の結果が得られたか否かを判定し、遊技の結果が得られたと判定された場合には、第２役物の作動を終了してリターンする。一方、遊技の結果が得られていない場合には、そのままリターンする。
【０１９８】
Ｄ−７．得点増加装置処理  ：
次に、図４２のフローチャートに基づいて、得点増加装置処理Ｓ６００について説明する。まず、遊技中か否か判定し、遊技中でないと判定された場合には、そのままリターンする（Ｓ６０１）。一方、遊技中と判定された場合には、得点増加装置が作動中か否か判定する（Ｓ６０２）。この結果、得点増加装置が作動中でないと判定された場合には、得点増加装置作動処理を行う（Ｓ６０３〜Ｓ６０５）。具体的には、所定数の遊技球が全て入球したか否かを、入球カウンタによって判定し（Ｓ６０３）、続いて１６連入球口検知スイッチ２０４により１６番の入賞図柄に対応する入球口（得点増加装置作動口）２４ａに入球があったか否かを判定する。この結果、全ての遊技球が入球していない状態で、１６番の入球口２４ａに入球したと判定された場合には、得点増加装置の作動を開始し、リターンする。それ以外の場合にはそのままリターンする。
【０１９９】
一方、得点増加装置が作動中であると判定された場合には（Ｓ６０２：ｙｅｓ）、得点増加装置作動終了処理を行う（Ｓ６０６〜Ｓ６０８）。具体的には、遊技の結果が得られたか否かを、ゲーム終了フラグによって判定する（Ｓ６０６）。遊技の結果が得られていなければ（Ｓ６０６：ｎｏ）、そのまま得点増加装置処理を終了して、図３６に示したメインジョブに復帰する。
【０２００】
一方、遊技の結果が得られている場合は（Ｓ６０６：ｙｅｓ）、そのゲームにおいて得点が成立したか否かを判断する（Ｓ６０７）。そして、得点が成立している場合は（Ｓ６０７：ｙｅｓ）、得点増加装置の作動を停止させた後（Ｓ６０８）、図４２に示す得点増加装置処理を終了する。これに対して、得点が成立していない場合は（Ｓ６０７：ｎｏ）、直ちに得点増加装置処理を終了する。
【０２０１】
Ｄ−８．誘導増加装置処理  ：
次に、誘導増加装置処理Ｓ７００を図４３のフローチャートに基づいて説明する。誘導増加装置処理Ｓ７００では先ず初めに遊技中か否かを判定する（Ｓ７０８）。そして、遊技中でないと判定された場合には（Ｓ７０８：ｎｏ）、そのまま誘導増加装置処理を終了して、図３６に示したメインジョブに復帰する。
【０２０２】
一方、遊技中と判定された場合には（Ｓ７０８：ｙｅｓ）、誘導増加装置が作動しているか否かを判定する（Ｓ７１０）。この結果、誘導増加装置が作動していないと判定された場合には、遊技球が誘導増加装置作動領域４１ａを通過したか否かを判定する（Ｓ７１２）。遊技球が誘導増加装置作動領域４１ａを通過すれば、図１８に示した作動領域スイッチ２１４によって通過が検出されるので、誘導増加装置作動領域４１ａの通過の有無を容易に判定することができる。そして、遊技球が誘導増加装置作動領域４１ａを通過していないと判定された場合には（Ｓ７１２：ｎｏ）、そのまま処理を抜けて図３６のメインジョブに復帰する。一方、Ｓ７１２において遊技球が誘導増加装置作動領域４１ａを通過していたと判定された場合は（Ｓ７１２：ｙｅｓ）、特別遊技状態を発生させるために誘導増加装置を作動させる（Ｓ７１４）。また、前述のように、特別遊技状態が発生すると、役物誘導装置作動ゲート３０が有効になるとともに、図柄表示装置３１に停止表示される識別図柄に拘らず第１役物作動口３２が開放されるようになる。
【０２０３】
更に、本実施例の遊技機では、誘導増加装置が作動して特別遊技状態が発生したら（Ｓ７１４）、パンクの発生を抑制するべく誘導増加装置作動領域４１ａ（図９参照）の移動パターンを変更する（Ｓ７１４ａ）。この点については後ほど詳しく説明する。
【０２０４】
特別遊技状態は、最長で所定回数の単位遊技（ここでは１４ゲーム）だけ継続させることができるが、特別遊技状態の継続中に、遊技球が重ねて誘導増加装置作動領域４１ａを通過すると、その時点で特別遊技状態が終了してしまう。なお、このような状態は、パンクと呼ばれる。このようにパンクが発生することに対応して、Ｓ７１０において誘導増加装置が作動中と判断された場合、すなわち遊技球が既に誘導増加装置作動領域４１ａを通過している場合は（Ｓ７１０：ｙｅｓ）、重ねて遊技球が誘導増加装置作動領域４１ａを通過したか否かを判断する（Ｓ７１６）。具体的には、作動領域スイッチ２１４を用いて、遊技球が再び誘導増加装置作動領域４１ａを通過したか否かを検出する。
【０２０５】
そして、作動領域４１ａを遊技球が通過していないと判断された場合は（Ｓ７１６：ｎｏ）、特別遊技状態の開始から１４ゲーム分を終了したか否かを判断する（Ｓ７１８）。未だ、１４ゲームが終了していなければ（Ｓ７１８：ｎｏ）、そのまま誘導増加装置処理を終了して図３６のメインジョブに復帰するが、１４ゲームが終了したと判断された場合は、特別遊技状態を終了させるべく、誘導増加装置の作動を停止する（Ｓ７２０）。誘導増加装置が作動を停止すると、有効状態になっていた役物誘導装置作動ゲート３０が無効状態に戻され、また、第１役物作動口３２は、図柄表示装置３１で所定の識別図柄が停止表示された場合にだけ開放されることになる。更に、Ｓ７１４ａで低確率パターンに切り換えられていた誘導増加装置作動領域４１ａの移動パターンも、通常の移動パターンに戻される（Ｓ７２０ａ）。誘導増加装置作動領域４１ａの移動パターンについては、後ほど詳しく説明する。
【０２０６】
一方、特別遊技状態の途中で、遊技球が重ねて誘導増加装置作動領域４１ａを通過したと判断された場合は（Ｓ７１６：ｙｅｓ）、パンクが発生したことになる。そこで、パンクの発生を報知した後（Ｓ７２２）、誘導増加装置の作動を停止させる（Ｓ７２０）。パンクの報知は、例えば図柄表示装置３１に設けられた所定のＬＥＤを点灯させることによって行うことができる。パンクになると、１４ゲーム経過する前に特別遊技状態が終了してしまうが、パンクが発生したことを遊技者に報知しておけば、特別遊技状態が突然終了したことに対して、遊技者が不満を訴えたり、機械の故障を訴えることがない。その結果、パンクしたことに起因して、遊技者と遊技場従業員とのトラブルが発生することを回避することができ、遊技の健全性を高めることが可能となる。
【０２０７】
最後に、図４３のＳ７１４ａ，７２０ａにおいて、誘導増加装置作動領域４１ａの移動パターンを切り替える処理について説明する。図９を参照して前述したように、振り分け装置３６では、傾斜面（遊技球通路）３９の下方において誘導増加装置作動領域（特定領域）４１ａが予め定められた一定のパターンで周期的に移動している。ここで、本実施例の振り分け装置３６では、互いに異なる２つのパターンで誘導増加装置作動領域４１ａを移動させることができる。尚、誘導増加装置作動領域４１ａを所定のパターンに基づいて移動させることは、誘導増加装置作動領域４１ａを駆動する作動領域用モータ２１７（特定領域移動手段）を、主制御部２００が駆動制御することにより実現される。
【０２０８】
図４４は、誘導増加装置作動領域４１ａの２つの移動パターンを示す説明図である。図４４（ａ）には、傾斜面３９の一端から他端までの全範囲で誘導増加装置作動領域４１ａが往復運動を行うパターンが示されている。また、図４４（ｂ）には、傾斜面３９の一端近くで誘導増加装置作動領域４１ａが小さな振幅の往復運動を行うパターンが示されている。
【０２０９】
傾斜面３９を落下する遊技球が誘導増加装置作動領域４１ａを通過する通過確率は、誘導増加装置作動領域４１ａが傾斜面３９の全範囲で往復運動を行う場合（図４４（ａ））よりも、傾斜面３９の一端近くで往復運動を行う場合（図４４（ｂ））の方が低くなる。なぜなら、図９を用いて前述したように、傾斜面３９から落下する遊技球は傾斜面３９の中央部分から落下する確率が高くなっているため、傾斜面３９の一端近くで往復運動を行った場合は、傾斜面３９の全範囲で往復運動した場合よりも遊技球の通過確率が低くなるのである。
【０２１０】
本実施例では、特別遊技状態が発生すると（図４３のＳ７１２：ｙｅｓ）、誘導増加装置作動領域４１ａの移動パターンが、図４４（ｂ）に示した低確率パターンに切り換えられ（Ｓ７１４ａ）、パンクが発生するか（図４３のＳ７１６：ｙｅｓ）、１４ゲームを消化して特別遊技状態が終了すると（Ｓ７１８：ｙｅｓ）、図４４（ａ）に示した通常パターンに切り換えられる（Ｓ７２０ａ）。このため、特別遊技状態の発生中は、遊技球が誘導増加装置作動領域４１ａを通過する確率が低く抑えられるのでパンクの発生を抑えることが可能となっている。
【０２１１】
Ｄ−９．誘導図柄および役物誘導装置処理  ：
次に、誘導図柄および役物誘導装置処理Ｓ８００を図４５、図４６のフローチャートに基づいて説明する。まず、第１役物誘導装置が作動しているか否か判定する（Ｓ８０１）。この結果、第１役物誘導装置が作動中であると判定された場合には、後述のＳ８１６〜Ｓ８１８で示す役物誘導装置終了処理を行う（Ｓ８０１）。一方、第１役物誘導装置が作動中でないと判定された場合には、誘導図柄が変動中か否か判定する（Ｓ８０２）。
【０２１２】
この結果、誘導図柄が変動中であると判定された場合は、後述のＳ８０９で示す変動時間経過判定処理に移る。一方、誘導図柄が変動中でないと判定された場合には、誘導図柄の停止表示時間中であるか否かを判定する（Ｓ８０３）。
【０２１３】
この結果、誘導図柄の停止表示時間中であると判定された場合には、後述のＳ８１１で示す停止表示時間経過判定処理に移る。一方、誘導図柄の停止表示時間中でないと判定された場合には、誘導図柄作動ゲートスイッチ２０１により遊技球が誘導図柄作動ゲート２９を通過したか否かを判定する（Ｓ８０４）。
【０２１４】
この結果、遊技球が誘導図柄作動ゲート２９を通過していないと判定された場合はそのままリターンする。一方、遊技球が誘導図柄作動ゲート２９を通過したと判定された場合は誘導図柄当否判定を行う（Ｓ８０５）。
【０２１５】
ここで、誘導図柄当否判定処理（図４５のＳ８０５）を図４７のフローチャートに基づいて説明する。誘導図柄当否判定処理では、先ず初めに、所定のデータテーブルの中に当否判定用乱数の値と同じ値が存在するか否か判定する（Ｓ８０５５）。当否判定用乱数は、遊技球が誘導図柄作動ゲート２９を通過したタイミングで乱数カウンタより取得される。
【０２１６】
この結果、当否判定用乱数の値が当たりであると判定された場合には（Ｓ８０５５：ｙｅｓ）、当たりのときに誘導図柄表示部３１ａ、３１ｂに表示される当たり停止図柄を図柄表示用乱数に基づいて設定するとともに（Ｓ８０５６）、当たり予定フラグをセットしてから（Ｓ８０５７）、誘導図柄当否判定処理を終了する。
【０２１７】
一方、当否判定用乱数の値が当たりでないと判定された場合には（Ｓ８０５５：ｎｏ）、外れのときに誘導図柄表示部３１ａ、３１ｂに表示される外れ図柄を設定する（Ｓ８０５８）。外れ図柄を設定した後には、誘導増加装置が作動中か否かを判定し（Ｓ８０５１）、作動中でないと判定された場合、すなわち特別遊技状態が発生されていない場合には（Ｓ８０５１：ｎｏ）、誘導図柄当否判定処理（図４７）を終了する。一方、作動中と判定された場合、すなわち特別遊技状態が発生されている場合には（Ｓ８０５１：ｙｅｓ）、当たり予定フラグをセットする（Ｓ８０５７）。
【０２１８】
つまり、特別遊技状態の発生中に誘導図柄当否判定処理（図４７）が行われると、当否判定用乱数の値に拘わらず常に当たり予定フラグがセットされることになる（Ｓ８０５７）。その結果、容易に連荘状態を生じさせることが可能となる。もちろん、第１役物作動口３２を開放させれば、遊技球が入球し易くなるが、本実施例の遊技機１では、先述のようにして、特別遊技中は、第１役物作動口３２に入球した遊技球が誘導増加装置作動領域４１ａを通過することを抑制することが可能であり、延いては、パンクが発生することを抑制することができる。
【０２１９】
誘導図柄および役物誘導装置処理では、誘導図柄当否判定処理から復帰すると、誘導図柄表示部３１ａ、３１ｂに表示される誘導図柄の変動時間設定および変動パターンの設定を行い（図４５のＳ８０６）、図柄制御部２８０に所定の図柄制御コマンドを送信し、誘導図柄の変動を開始する（Ｓ８０７）。なお、誘導図柄の変動時間は状況に応じて適切な値に設定することができるが、本実施例では、１．５秒前後の値に設定されている。
【０２２０】
次に、誘導図柄変動時間が経過したか否かの判定を行う（Ｓ８０８）。この結果、誘導図柄変動時間が経過していないと判定された場合にはそのままリターンする。一方、誘導図柄変動時間が経過していると判定された場合には、誘導図柄を停止させ（Ｓ８０９）、誘導図柄停止表示時間（本例では０．５秒）を設定する（Ｓ８１０）。
【０２２１】
次に、誘導図柄停止表示時間が経過したか否かの判定を行う（Ｓ８１１）。この結果、誘導図柄停止表示時間が経過していないと判定された場合には、そのままリターンする。一方、誘導図柄停止表示時間が経過していると判定された場合には、当たり予定フラグがセットされているか否かを判定する（Ｓ８１２）。この結果、当たり予定フラグがセットされていないと判定された場合には、そのままリターンする。一方、当たり予定フラグがセットされていると判定された場合には、第１役物誘導装置の作動を開始する（Ｓ８１３）。
【０２２２】
次に、図４８のフローチャートに示すガイド処理を行う（Ｓ８１４）。ここでは、特別遊技状熊終了後の最初のゲーム開始時に第１役物作動口３２が開放したままの状態となるように、遊技者に狙い所（発射位置）をガイドし、それにより、連続した特別遊技状態の発生（いわゆる連荘）の確率を高くするものである。
【０２２３】
まず、誘導増加装置が作動しているか否かを判定し（Ｓ８１４１）、誘導増加装置が作動していない場合には、そのままリターンする。一方、Ｓ８１４１で誘導増加装置が作動していると判定された場合には、誘導増加装置の作動開始から１２ゲームが終了したか否かの判定を行う（Ｓ８１４２）。この結果、１２ゲームが終了していないと判定された場合には、そのままリターンする。
【０２２４】
一方、１２ゲームが終了したと判定された場合には、第１役物作動口３２が閉鎖しているか否かを判定し（Ｓ８１４３）、第１役物作動口３２が閉鎖している場合には、図柄制御部２８０に図柄制御コマンドを送信して、左打ちを行うようにガイドする（Ｓ８１４４）。図柄表示装置３１には、図示しないガイド表示部が設けられており、遊技者に対して左打ちあるいは右打ちのガイドを行うことが可能となっている。左打ちにより遊技球が誘導図柄作動ゲート２９を通過しやすくなり、誘導図柄表示部３１ａ、３１ｂが作動を開始する。このとき、図４７に示す誘導図柄当否判定処理が行われるが、誘導増加装置が作動中であるため、誘導図柄当否判定用乱数値が当たり値に該当するか否かに関わらず当たり予定フラグがセットされて、第１役物作動口３２が開放される。
【０２２５】
左打ちをガイドした後、当たり予定フラグがセットされたか否かを判定する（Ｓ８１４５）。この結果、当たり予定フラグがセットされていないと判定された場合には、そのままリターンする。一方、当たり予定フラグがセットされたと判定された場合には、図柄制御部２８０に図柄制御コマンドを送信し、図柄表示装置３１のガイド表示部にて右打ちをするようにガイドする（Ｓ８１４７）。また、Ｓ８１４３にて第１役物作動口３２が閉鎖していない（開放されている）と判定された場合も、右打ちをする旨のガイドを図柄表示装置３１のガイド表示部にて行う（Ｓ８１４７）。なお、Ｓ８１４４で左打ちをガイドした後に当たり予定フラグがセットされた場合、当たり予定フラグがセットされた状態で誘導図柄が停止表示されてから所定時間経過後に、第１役物作動口３２を開放させるようになっている。
【０２２６】
なお、本実施例の遊技機１では、当たり予定フラグがセットされた状態で誘導図柄が停止表示されてから第１役物作動口３２を開放させるまでの上述の所定時間は、特別遊技中か否かに拘わらず一定となっている。こうすることで、遊技機の制御内容を簡潔なものとすることができる。もちろん、パンクの発生を抑制する意味からは、当たり予定フラグがセットされた状態で誘導図柄が停止表示されてから第１役物作動口３２を開放させるまでの所要時間を、特別遊技状態中は長くして、第１役物作動口３２が直ちには開放されないようにすることが望ましい。しかし、本実施例の遊技機１では、特別遊技状態中に例え第１役物作動口３２に遊技球が入球しても、誘導増加装置作動領域４１ａを通過することを先述のように抑制することができる。このため、第１役物作動口３２を開放させるまでの所要時間を特別遊技状態中だけ長くしなくても、パンクが発生することを回避することができる。
【０２２７】
上記のように、図柄表示装置３１のガイド表示部にて、誘導増加装置の作動開始に関する情報として右打ちをするようにガイドすることにより、第１役物作動口３２への入球を回避しつつ、役物誘導装置作動ゲート３０、第２役物作動口３３などを遊技者に狙わせることができる。なお、本実施例の遊技機１では、単に右打ちをガイドするだけであり、第１役物作動口３２に遊技球を入球させないように、例えば、第１役物作動口３２の近傍に入球禁止ランプを設けて、遊技球を入球させてはいけない旨を表示するといった特別なガイド処理を行う必要が無く、ガイド処理の内容を簡素なものとすることができる。このようにしてガイド処理を簡素なものにしても、本実施例の遊技機１では、パンクが生じることを先述のようにして抑制できる。
【０２２８】
そして、図柄表示装置３１のガイド表示部にて右打ちをするようにガイドして、第１役物作動口３２への入球を回避させることにより、特別遊技状態終了後の最初のゲーム開始時に第１役物作動口３２が開放した状態にすることができ、このとき、遊技球を第１役物作動口３２に入球させ、この遊技球が特定の領域（誘導増加装置作動領域４１ａ）を通過すれば、特別遊技状態を再度発生させることができる。したがって、連荘に対する遊技者の期待感を格段に高めて、興趣を向上させることができる。
【０２２９】
また、誘導増加装置の作動開始から１２ゲームが終了した時点で、図柄表示装置３１のガイド表示部にて左打ちをガイドすることにより、仮に１３ゲーム目で当たり予定フラグがセットされなかった場合でも、１４ゲーム目で高い確率で当たり予定フラグがセットされるので、第１役物作動口３２が開放される。したがって、１３ゲームが終了した時点で左打ちをガイドする場合よりも高い確率で、特別遊技状態終了後の最初のゲーム開始時に第１役物作動口３２が開放した状態にすることができる。
【０２３０】
次に、図４６に戻り、上記Ｓ８０１で第１役物誘導装置が作動中と判定された場合には、役物誘導装置終了処理を行う（Ｓ８１６、Ｓ８１７、Ｓ８１８）。具体的には、第１役物作動口３２に入球したか否かを判定し、遊技の結果が３回得られたか否かを判定する。この結果、第１役物作動口３２に入球したか、あるいは遊技の結果が３回得られたと判定された場合には、第１役物誘導装置の作動を停止する。これにより、第１役物作動口３２が閉鎖する。一方、いずれかの条件を満たさない場合には、そのままリターンする。
【０２３１】
Ｄ−１０．第２役物誘導装置処理  ：
次に、誘導増加装置の作動中（すなわち特別遊技中）に遊技球が役物誘導装置作動ゲート３０を通過したときに、第２役物作動口３３を開放させる処理（図３６のＳ８５０：第２役物誘導装置処理）について説明する。
【０２３２】
図４９は、本実施例の遊技機１で行われる第２役物誘導装置処理の流れを示すフローチャートである。かかる処理を開始すると、先ず初めに、第２役物作動口３３が開放しているか否かを判断する（Ｓ８５２）。そして、第２役物作動口３３が未だ開放していない場合は（Ｓ８５２：ｎｏ）、以下に説明するように所定条件を満足しているか否かを判断して、第２役物作動口３３を開放させる処理を行う。逆に、第２役物作動口３３が既に開放している場合は（Ｓ８５２：ｙｅｓ）、以下に説明するような所定条件に該当するか否かを判断して、所定条件に該当すれば第２役物作動口３３を閉鎖する処理を行う。以下では、先ず初めに第２役物作動口３３が未だ開放していない場合について説明し、次いで、第２役物作動口３３を既に開放している場合について説明する。
【０２３３】
第２役物作動口３３が未だ開放していない場合は（Ｓ８５２：ｎｏ）、遊技球が役物誘導装置作動ゲート３０を通過したか否かを判断する（Ｓ８５４）。遊技球が役物誘導装置作動ゲート３０を通過した場合には（Ｓ８５４：ｙｅｓ）、続いて、誘導増加装置が作動中か否かを判断する（Ｓ８５６）。そして、遊技球が役物誘導装置作動ゲート３０を通過していないか（Ｓ８５４：ｎｏ）、あるいは作動ゲート３０を通過していても誘導増加装置が作動中でない場合（Ｓ８５６：ｎｏ）は、そのまま第２役物誘導装置処理を終了して、図３６に示したメインジョブに復帰する。これに対して、遊技球が役物誘導装置作動ゲート３０を通過し、且つそのときに、誘導増加装置が作動中である場合には第２役物作動口３３を開放させる（Ｓ８６４）。
【０２３４】
次に、Ｓ８５２において第２役物作動口３３が開放していると判断された場合について説明する。そして、第２役物作動口３３が開放中であった場合は（Ｓ８５２：ｙｅｓ）、第２役物作動口３３に遊技球が入球したか否かを判断し（Ｓ８６６）、入球した場合は（Ｓ８６６：ｙｅｓ）、第２役物作動口３３を閉鎖する（Ｓ８７０）。一方、第２役物作動口３３に遊技球が入球していない場合は（Ｓ８６６：ｎｏ）、遊技中の単位遊技が終了したか否かを判断する（Ｓ８６８）。単位遊技が終了していれば（Ｓ８６８：ｙｅｓ）、第２役物作動口３３を閉鎖し（Ｓ８７０）、未だ単位遊技が終了していなければ（Ｓ８６８：ｎｏ）、そのまま第２役物誘導装置処理を終了して、図３６に示したメインジョブに復帰する。
【０２３５】
Ｄ−１１．電源断発生処理  ：
次に、電源断発生処理Ｓ９００を図５０のフローチャートに基づいて説明する。この電源断発生処理は、停電等によって電源断が発生してノンマスカブル割り込みが発生した場合に行われる。
【０２３６】
まず、使用レジスタをＲＡＭに退避し、スタックポインタの値を保存する（Ｓ９０１、Ｓ９０２）。次に、遊技球払出装置の賞球残数を確認するために、払出センサ１０９ｊ、１０９ｋの監視を所定時間（本例では８４ｍｓ）行い、第１役物作動口３２および第２役物作動口３３の役物作動口スイッチ２１２ａおよび２１２ｂを通過する遊技球の監視を所定時間（本例では８４ｍｓ）行う（Ｓ９０３、Ｓ９０４）。次に、チェックサムを算出して保存し、バックアップフラグをセットする（Ｓ９０５、Ｓ９０６）。次に、ＲＡＭへのアクセスを禁止し、システムリセットが発生するまで無限ループ処理を行う（Ｓ９０７）。ＲＡＭデータは、図示しないバックアップ電源部により補償される。システムリセットが発生した場合には、上記電源投入処理Ｓ１００に移る。
【０２３７】
以上の遊技機１の構成により、以下のような効果を得ることができる。
【０２３８】
（１）図柄制御部２８０で１つの図柄表示装置３１を制御するように構成することで、図柄制御基板２８０ａにＬＥＤ駆動回路等を設ける必要がなく、図柄制御部２８０をパチンコ遊技機と共用化することができる。また、図柄表示装置３１を、任意の図柄を表示可能な液晶（ＬＣＤ）などの表示装置を用いて構成した場合には、誘導図柄の表示に加えて入賞図柄も図柄表示装置３１に表示することが可能である。この結果、次のような効果も得ることが可能となる。先ず、入賞図柄を表示するための１６連入球口ＬＥＤ表示部２５を、図柄表示装置３１で代用させることができるので、図柄表示を制御する図柄制御部２８０の構成を簡略化することができる。これにより、図柄制御基板２８０ａの端子数を減らすことができるので、図柄制御基板２８０ａのコストを低減することができる。また、図柄表示装置３１として、任意の図柄を表示できる表示装置を用いることで、例えばキャラクタや数字等を用いて入賞図柄を表現することができる。入賞図柄の配列も本実施例のような横一列に限らず、任意に変更することが可能となる。このように、多彩な表示方法で入賞図柄の表示を行うことができる。さらにまた、本実施例のガイド表示部のように、遊技の進行に応じて任意にメッセージを表示する遊技情報報知部を図柄表示部３１に設けることで、例えば遊技者の利益に関連する情報および不利益に関連する情報を指示報知する指示報知情報を表示して、ナビゲーションを行うことができる。具体的には、遊技情報報知部では遊技者が狙うべきところ、あるいは狙うべきでないところを指示報知することができる。
【０２３９】
（２）ケースレール１０８の球詰まりに対して複数段階のエラー状態を設定し、ケースレール１０８の複数の樋のいずれかの樋で球詰まりが発生した場合でも直ちに遊技球払出装置１０９を停止させず、警告報知をしながら球詰まりが発生していない残りの樋で払い出しを継続することで、遊技を進行させることができる。これにより、ケースレール１０８で球詰まりが発生した場合でも、遊技機１の稼働率の低下を抑制することができる。
【０２４０】
（３）また、タンク球切れスイッチ２３２からの信号と払出センサ１０９ｊ、１０９ｋからの信号とに基づいて、ケースレール１０８内の球詰まりを検出することで、ケースレール１０８の遊技球の有無を検出するスイッチを設ける必要がなく、回路構成を簡略化することができる。
【０２４１】
（４）また、遊技球払出装置１０９にて遊技球の払い出しを停止する前に、カム１０９ｇ、１０９ｈを一旦減速させてから停止させることで、払出モータ１０９ｆにかかる負荷が急激に変化するのを防止でき、払い出しの高速化に伴うカム１０９ｇ、１０９ｈの脱調を防止できる。これにより、遊技球払出装置１０９の払い出しを正確に行うことができる。同様に、遊技球払出装置１０９にて遊技球の払い出し開始時においても、払出モータ１０９ｆの回転速度を通常の回転速度より遅い回転速度から回転を開始することで、払出モータ１０９ｆにかかる負荷が急激に変化するのを防止でき、カム１０９ｇ、１０９ｈの脱調を防止できる。これにより、遊技球払出装置１０９の払い出しを正確に行うことができる。
【０２４２】
（５）また、ケースレール１０８における遊技球払出装置１０９の直前に、垂直に所定の長さを有する垂直部１０８ｂを設けることで、遊技球の自重により遊技球払出装置１０９に供給される遊技球の球圧を上げることができ、払出速度を高速化することができる。さらに、遊技球払出中に払い出しを定期的に停止する所定の払出停止時間を設けることで、払出停止時間中に球圧を上げることができ、払出速度をより高速化することができる。このように定期的に払い出しを停止することで、球圧が上がりすぎて球噛み等が発生することを防止でき、遊技球の正確な払い出しを行うことができる。これにより、遊技球払出装置１０９の作動中に払出センサ１０９ｊ、１０９ｋで遊技球が検出されずにエラーが発生する原因を取り除くことができる。
【０２４３】
（６）また、払出センサ１０９ｊ、１０９ｋからの信号を払出制御部２３０にて受け取って払出個数を計数し、賞球数分のパルス信号を主制御部２００に送信することで、１種類の払出センサ１０９ｊ、１０９ｋで賞球数と貸球数を計数することが可能となるため、賞球数を計数するための賞球センサと貸球数を計数するための貸球センサを別々に設ける必要がない。これにより、回路構成を簡略化することができる。また、遊技球を賞球センサと貸球センサに振り分けるために、遊技球通路１０９ａ、１０９ｂを賞球センサ用の通路と貸球センサ用の通路に分離する必要がなく、遊技球払出装置１０９の構成を簡素化することができる。すなわち、賞球センサ用通路と貸球センサ用通路に遊技球を振り分けるために、通路切替用部材を設けたり、あるいは払出モータ１０９ｆの回転方向を変える必要がない。
【０２４４】
（７）また、遊技球払出装置１０９における払出速度の高速化に伴い、払出センサ１０９ｊ、１０９ｋにおける遊技球の通過速度が高速化する。この場合、払出センサ１０９ｊ、１０９ｋの出力時間が払出制御部２３０の制御間隔より短いと遊技球の通過を検知できない可能性があるが、本実施例の払出制御部２３０では、制御間隔を主制御部２００より短く設定しているので、遊技球の通過を確実に検知することができる。
【０２４５】
（８）また、払出制御部２３０から賞球数分のパルス信号を主制御部２００のＣＰＵ４００のカウンタにソフト出力することで、主制御基板２００ａにセンサ入力用のＩ／０ポートを設ける必要がない。これにより、Ｉ／０ポート増設に伴うコストアップを回避できる。
【０２４６】
（９）また、主制御部２００のＣＰＵ４００のカウンタに賞球数分のパルス信号を入力し、ＣＰＵ４００はカウンタを参照して制御を行うように構成することで、ポート入力処理、チャタリング処理といったプログラムが不要となり、プログラム容量を削減することができる。さらに、カウンタはＣＰＵの動作とは独立して動作しているため、ＣＰＵの割り込み速度（ポートサンプリング速度）に対して微妙な入力信号に対しても入力が可能であり、入力信号に対して確度の高いカウントが可能となる。
【０２４７】
（１０）また、発射モータ２５２の原点を検出する原点センサ２５１を設け、発射制御部２３０が発射モータ２５２の原点確認後に球送り処理を行うことで、正確な球送りを行うことができ、確実に所定数の遊技球の発射を行うことができる。さらに電源投入後、遊技者が発射ハンドル８に触れた際に槌１０ａの空打ちを１回行うことで、電源投入時における原点確認を確実に行うことができる。これにより、電源投入後、初回の球送りを確実に行うことができる。さらにまた、槌１０ａの先端を発射球カウントスイッチ２２２から退避した位置に配置しているので、槌先の検出による発射球誤検知を防止できる。また、基準クロック信号のパルス幅を、球送り許可信号が発射許可状態となっている時間より短く設定することで、確実に球送り処理を行うことができ、確実に発射を行うことができる。
【０２４８】
（１１）また、遊技者が発射ハンドル８を回転開始したことを検知する発射スタートスイッチ１０ｊを、直線運動するラック１０ｉの移動によりオン／オフするように構成したことで、例えば発射ハンドル８にガタツキや劣化が生じたような場合であっても、遊技球の打ち出しに適した発射スタート位置を正確に検知することが可能となる。これにより、常に同じハンドル位置で遊技球を発射開始することが可能となる。さらに、発射ハンドル８内の機構が簡素になり、発射ハンドル８の組み付け性を向上させることができる。また、発射停止スイッチ８ｂをタッチスイッチ回路に組み込み、タッチスイッチ８ａと直列的に接続することで、回路構成を簡略化することができる。
【０２４９】
（１２）加えて、本実施例の遊技機では、特別遊技状態中は、振り分け装置３６に入球した遊技球が誘導増加装置作動領域４１ａを通過することを抑制することができるので、パンクが発生して遊技者の興趣を損なうことを効果的に回避することができる。
【０２５０】
（１３）また、本実施例の遊技機１では、パンクを抑制するための種々の制約が不要となるので、設計自由度が向上するとともに、開発効率を向上させることが可能である。例えば、特別遊技中に遊技球が第１役物作動口３２に入球してもパンクを抑制することができるので、特別遊技中に遊技球が第１役物作動口３２に入球しないようにする必要がない。このため、特別遊技中は第１役物作動口３２に遊技球を入球させないようにガイドする処理を簡素化もしくは廃止することができる。また、当たり予定フラグがセットされた状態で誘導図柄が停止表示されてから第１役物作動口３２が開放されるまでの時間を、特別遊技状態中だけ長くする必要もなくなるので、遊技機１の制御を簡素なものとすることができる。
【０２５１】
Ｅ．変形例  ：
上述した本実施例の遊技機１には、種々の変形例が存在する。以下では、これら変形例について簡単に説明する。
【０２５２】
（１）第１の変形例  ：
上述した実施例の遊技機１では、誘導増加装置作動領域４１ａは、特別遊技状態中も所定パターンで移動するものとして説明した。しかし、特別遊技状態中に遊技球が誘導増加装置作動領域４１ａを通過することを抑制することができるのであれば、誘導増加装置作動領域４１ａを移動させる必要はなく、例えば、特別遊技状態中は、誘導増加装置作動領域４１ａを所定位置に停止させることとしても良い。
【０２５３】
図５１は、特別遊技中に誘導増加装置作動領域４１ａを所定位置に停止させる第１の変形例としての一態様を例示した説明図である。図示した第１の変形例では、特別遊技状態が発生すると、誘導増加装置作動領域４１ａは傾斜面３９の範囲外の位置に停止する。かかる位置に誘導増加装置作動領域４１ａが停止すると、傾斜面３９を落下した遊技球が誘導増加装置作動領域４１ａを通過することはない。このため、特別遊技状態中にパンクが発生することを確実に回避することが可能となる。
【０２５４】
（２）第２の変形例  ：
図５２は、第２の変形例における振り分け装置３６０を例示した斜視図である。第２の変形例は、上述した実施例に対して、振り分け装置の形態が異なるものである。図５２に示すように、振り分け装置３６０の遊技球通路は、固定部３７０,３９０と、これらの間に設けられた可動部３８０とを備えている。
【０２５５】
遊技球通路の固定部３７０は、上面が窪んだ樋状に形成されている。第１役物作動口３２に入球した遊技球は、固定部３７０の樋状に形成された上面を、その最も低くなっている部分を中心として、左右に揺れながら可動部３８０に向かって転がっていく。図５２中の破線は、遊技球が、固定部３７０の上面を左右に揺れながら転がる様子を示したものである。
【０２５６】
図５２に示したように、可動部３８０は橋の形状を模して形成されており、遊技球が通過可能な幅の通路３８０ａを備えている。可動部３８０は、図示しないモータとウォームギヤ（遊技球通路移動手段）とによって駆動され、遊技者から見て前後方向に往復動する様に構成されている。具体的には、可動部３８０は、２〜３秒周期で１往復し、手前側と、奥側と、前後方向の中央部とで、それぞれ一時的に停止する移動パターンに基づいて駆動されている。尚、可動部３８０ａを駆動するモータとウォームギア（遊技球通路移動手段）の駆動制御は、主制御部２００によって行われる。そして、上流側の固定部３７０から流下してきた遊技球が可動部３８０に達したときに、可動部３８０が中央部に停止しているか、若しくは中央部付近にあれば、遊技球は、可動部３８０の通路３８０ａを通って下流側の固定部３９０に到達した後、固定部３９０の上面に設けられた誘導増加装置作動領域３９０ａ（特定領域）を通過することができる。
【０２５７】
一方、上流側の固定部３７０から転がってきた遊技球が可動部３８０に達したときに、可動部３８０が中央部付近にない場合は、遊技球は可動部８０を通過することができずに、固定部３７０の端部から下方に落下する。振り分け装置３６０の下方には遊技球が通過可能な排出口４００（非特定領域）が設けられている。誘導増加装置作動領域３９０ａに到達せず、途中で落下したすべての遊技球は、排出口４００を通過する。
【０２５８】
この様な構成を有する第２の変形例の遊技機では、特別遊技状態が発生すると、前述した可動部３８０の移動パターンが、中央部から離れた位置に停止する態様に切り替えられる。このため、特別遊技状態の発生中に、第１役物作動口３２に入球して、上流側の固定部３７０を転がってきた遊技球は、可動部３８０を通過することができず、従って、誘導増加装置作動領域３９０ａを通過することがない。このため、パンクが発生することを抑制できる。
【０２５９】
以上、本発明についての各種の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【０２６０】
また、上述した実施例では、一単位遊技で１５個の遊技球を発射する組合せ式遊技機に本発明を適用した場合について説明した。しかし、こうした組合せ式遊技機に限らず、例えば一単位遊技で１６個の遊技球を発射する組合せ式遊技機に適用しても良いことは言うまでもない。
【図面の簡単な説明】
【０２６１】
【図１】本実施例の組合せ式遊技機の正面図である。
【図２】本実施例の組合せ式遊技機の中枠を正面側からみた斜視図である。
【図３】本実施例の組合せ式遊技機の中枠を背面側からみた斜視図である。
【図４】本実施例の組合せ式遊技機の発射レール１１の拡大図である。
【図５】発射装置ユニットの発射ハンドルを回転させていない場合のピニオンおよびラック部分の拡大図である。
【図６】発射装置ユニットの発射ハンドルを回転させている場合のピニオンおよびラック部分の拡大図である。
【図７】本実施例の組合せ式遊技機に投入された遊技球が球送り装置から発射装置ユニットに供給される様子を示す説明図である。
【図８】本実施例の組合せ式遊技機に搭載された遊技盤の盤面を模式的に示した正面図である。
【図９】本実施例の組合せ式遊技機に搭載された振り分け装置の構成を示す斜視図である。
【図１０】本実施例の組合せ式遊技機の裏機構盤の正面図である。
【図１１】本実施例の組合せ式遊技機に搭載された賞球タンクおよびタンクレールを上面側から見た説明図である。
【図１２】本実施例の組合せ式遊技機に搭載されたケースレールの形状を示す概念図である。
【図１３】本実施例の組合せ式遊技機に搭載された遊技球払出装置の外観を示す斜視図である。
【図１４】本実施例の組合せ式遊技機に搭載された遊技球払出装置の分解斜視図である。
【図１５】払出モータの払出速度と払出停止時間との関係を示す説明図である。
【図１６】本実施例の組合せ式遊技機に搭載された電子制御装置の概略構成を示すブロック図である。
【図１７】主制御部の主制御基板に搭載されたＣＰＵの構成を示すブロック図である。
【図１８】盤面中継基板に接続された各種遊技装置を示すブロック図である。
【図１９】遊技枠中継基板に対する信号の入出力を示すブロック図である。
【図２０】払出制御部に対する信号の入出力を示すブロック図である。
【図２１】払出センサから出力される信号の流れを示すブロック図である。
【図２２】払出制御部から主制御部にパルス信号が送信される様子を示すタイミングチャートである。
【図２３】払出制御基板においてコネクタの接続を確認する様子を示す説明図である。
【図２４】発射制御部に接続された各種遊技装置を示すブロック図である。
【図２５】発射制御部の回路構成を概念的に示す説明図である。
【図２６】発射制御部における球送り許可信号と基準クロック信号との関係を示すタイミングチャートである。
【図２７】音ランプ制御部に接続された各種遊技装置を示すブロック図である。
【図２８】図柄制御部に接続された各種遊技装置を示すブロック図である。
【図２９】図柄制御に関するコマンドの流れを示すブロック図である。
【図３０】遊技確認時間について説明するための説明図である。
【図３１】電源オン時における発射制御を示すタイミングチャートである。
【図３２】連続動作中における発射制御を示すタイミングチャートである。
【図３３】発射を中断した場合の発射制御を示すタイミングチャートである。
【図３４】発射を再開する場合の発射制御を示すタイミングチャートである。
【図３５】規定数の遊技球を発射終了した場合の発射制御を示すタイミングチャートである。
【図３６】主制御部のＲＯＭに格納されたプログラムに基づいてＣＰＵが実行するメインジョブの一例を示すフロー図である。
【図３７】メインジョブ中で行われる電源投入処理の流れを示すフロー図である。
【図３８】メインジョブ中で行われる遊技開始処理の流れを示すフロー図である。
【図３９】メインジョブ中で行われるゲーム管理処理の流れを示すフロー図である。
【図４０】メインジョブ中で行われる入賞図柄処理の流れを示すフロー図である。
【図４１】メインジョブ中で行われる役物遊技処理の流れを示すフロー図である。
【図４２】メインジョブ中で行われる得点増加装置処理の流れを示すフロー図である。
【図４３】メインジョブ中で行われる誘導増加装置処理の流れを示すフロー図である。
【図４４】誘導増加装置作動領域４１ａの２種類の動作パターンを例示した説明図である。
【図４５】メインジョブ中で行われる誘導図柄および役物誘導装置処理の前半部分の処理を示すフロー図である。
【図４６】メインジョブ中で行われる誘導図柄および役物誘導装置処理の後半部分の処理を示すフロー図である。
【図４７】誘導図柄および役物誘導装置処理中で行われる誘導図柄当否判定処理の流れを示すフロー図である。
【図４８】誘導図柄および役物誘導装置処理中で行われるガイド処理の流れを示すフロー図である。
【図４９】第２役物誘導装置処理流れを示すフロー図である。
【図５０】メインジョブ中で行われる電源断発生時処理の流れを示すフロー図である。
【図５１】第１の変形例としての振り分け装置の一態様を例示した説明図である。
【図５２】第２の変形例としての振り分け装置の一態様を例示した説明図である。
【符号の説明】
【０２６２】
１  ...遊技機（組合せ式遊技機）
１０  ...発射装置ユニット
２０  ...遊技盤
２４  ...１６連入球口（入球領域）
２５  ...１６連入球口ＬＥＤ表示部（入賞情報表示装置）
２９  ...誘導図柄作動ゲート
３１  ...図柄表示装置（可変表示手段）
３２  …第１役物作動口（可変入球口）
３６  ...振り分け装置
４１ａ...誘導増加装置作動領域（特定領域）
３９  ...傾斜面（遊技球通路）
１０９...遊技球払出装置
２００...主制御部（可変入球手段、遊技状態制御手段）
２３０...払出制御部
２５０...発射制御部
２６０...音ランプ制御部
２８０...図柄制御部
３６０...振り分け装置
３７０，３９０...遊技球通路の固定部
３８０  ...遊技球通路の可動部
３９０ａ...誘導増加装置作動領域
【図１】
2005319104.tif 000003
【図２】
2005319104.tif 000004
【図３】
2005319104.tif 000005
【図４】
2005319104.tif 000006
【図５】
2005319104.tif 000007
【図６】
2005319104.tif 000008
【図７】
2005319104.tif 000009
【図８】
2005319104.tif 000010
【図９】
2005319104.tif 000011
【図１０】
2005319104.tif 000012
【図１１】
2005319104.tif 000013
【図１２】
2005319104.tif 000014
【図１３】
2005319104.tif 000015
【図１４】
2005319104.tif 000016
【図１５】
2005319104.tif 000017
【図１６】
2005319104.tif 000018
【図１７】
2005319104.tif 000019
【図１８】
2005319104.tif 000020
【図１９】
2005319104.tif 000021
【図２０】
2005319104.tif 000022
【図２１】
2005319104.tif 000023
【図２２】
2005319104.tif 000024
【図２３】
2005319104.tif 000025
【図２４】
2005319104.tif 000026
【図２５】
2005319104.tif 000027
【図２６】
2005319104.tif 000028
【図２７】
2005319104.tif 000029
【図２８】
2005319104.tif 000030
【図２９】
2005319104.tif 000031
【図３０】
2005319104.tif 000032
【図３１】
2005319104.tif 000033
【図３２】
2005319104.tif 000034
【図３３】
2005319104.tif 000035
【図３４】
2005319104.tif 000036
【図３５】
2005319104.tif 000037
【図３６】
2005319104.tif 000038
【図３７】
2005319104.tif 000039
【図３８】
2005319104.tif 000040
【図３９】
2005319104.tif 000041
【図４０】
2005319104.tif 000042
【図４１】
2005319104.tif 000043
【図４２】
2005319104.tif 000044
【図４３】
2005319104.tif 000045
【図４４】
2005319104.tif 000046
【図４５】
2005319104.tif 000047
【図４６】
2005319104.tif 000048
【図４７】
2005319104.tif 000049
【図４８】
2005319104.tif 000050
【図４９】
2005319104.tif 000051
【図５０】
2005319104.tif 000052
【図５１】
2005319104.tif 000053
【図５２】
2005319104.tif 000054